(57)【要約】  最初の製造中に吸収性下着を機械的に締結するための方法及び装置において、下着は、移動方向に移動され、折り曲げ装置により縦方向に折り曲げられて、移動方向に部分的に組み立てられた下着を移動させ、下着の第一及び第二締結部分を締結可能に係合する間、下着の第一及び第二端部領域は互いにほぼ対向する関係にある。吸収性下着の中央領域は、下着を縦方向に折り曲げる間、保持装置により保持されて、下着の端部領域の間で束状に凝集しないように、折り曲げ装置から分離する。別の実施形態においては、第二締結部分の横方向位置は、第一締結部分に対して調整され、吸収性衣類を縦方向に折り曲げる時に締結用係合を促進する。【選択図】          図１４
2009519742.tif 000002
【特許請求の範囲】
【請求項１】
前記吸収性下着は、縦方向軸と、横方向軸と、第一端部領域と、第二端部領域と、前記第一端部領域と前記第二端部領域との間にあって、これらを相互結合するように縦方向に延びる中央領域と、ほぼ前記第一端部領域に設けられた第一締結部分と、前記第一締結部分に対し縦方向に間隔をもった関係でほぼ前記第二端部領域に設けられ、予め締結された形態の前記吸収性衣類を固定するように前記第一締結部分と係合可能な第二締結部分とを有し、部分的に組み立てられた形態では全体的に折り曲げられた状態にはなく、前記第一及び第二締結部分は締結されず、予め締結された形態では折り曲げられて、前記第一及び第二締結部分が互いに係合されるようになる下着の最初の製造中に、前記部分的に組み立てられた、締結されていない形態から、前記予め締結された形態に下着を再形成するための、吸収性下着を機械的に締結するための装置であって、前記装置は、
移動方向に移動するように駆動される移動装置と、
前記移動方向に前記移動装置により支持された縦方向折り曲げ装置と、
を備え、
前記縦方向折り曲げ装置は、部分的に組み立てられた形態において吸収性下着を受け取る開形態と、前記吸収性下着が前記折り曲げ装置により縦方向に折り曲げられる閉形態との間で前記移動装置に対して形成可能であり、
前記縦方向折り曲げ装置は、前記折り曲げ装置の前記開形態と前記閉形態との間で、互いに対して移動可能な第一及び第二折り曲げ用プレートを含み、前記折り曲げ装置の前記閉形態においては、前記折り曲げ用プレートは互いに対向する関係になり、前記折り曲げ装置の前記開形態においては、前記プレートは互いに対向する関係ではなく、
前記折り曲げ用プレートの各々は、内側端部と外側端部とを有し、前記折り曲げ用プレートの前記内側端部は、前記折り曲げ装置の前記開形態における前記折り曲げ用プレートの前記外側端部より、互いに近い位置にあり、前記折り曲げ用プレートの前記内側端部は、前記折り曲げ装置の前記開形態において互いに間隔を持っており、
前記第一折り曲げ用プレートは、前記吸収性下着の前記第一端部領域を保持するようにされ、
前記第二プレートは、前記吸収性下着の前記第二端部領域を保持するようにされ、
前記吸収性下着の前記中央領域は、前記折り曲げ用プレートの前記内側端部にほぼ近接して、前記内側端部間に間隔を持っており、
前記折り曲げ装置は、前記折り曲げ用プレートの前記閉形態において、前記下着の前記第一及び第二締結部分が、締結係合のために共に置かれるように形成され、
前記第一及び第二折り曲げ用プレートとは別の保持装置が、前記折り曲げ用プレートの前記内側端部のほぼ中間に配置され、前記折り曲げ装置の前記閉形態において、前記折り曲げ用プレートの前記内側端部の縦方向外側に、前記吸収性下着の前記中央領域を位置決めするようにされたことを特徴とする装置。
【請求項２】
前記保持装置は、真空モードにおいて作動可能な吸引装置を含み、前記折り曲げ装置の前記開形態からその閉形態に前記折り曲げ用プレートが移動する時に、前記吸収性衣類の前記中央領域を、前記吸引装置に向かって引き込むことを特徴とする請求項１に記載の装置。
【請求項３】
前記折り曲げ装置は、前記第二折り曲げ用プレートにほぼ近接し、前記折り曲げ装置の前記開形態からその前記閉形態に前記折り曲げ用プレートが移動する時に、前記下着の前記第二締結部分を保持するようにされた横方向保持部材を更に含み、前記横方向保持部材は、前記第二折り曲げ用プレートに少なくとも横方向に移動可能で、前記折り曲げ装置の前記閉形態において締結係合のために、前記下着の前記第二締結部分が前記下着の前記第一締結部分と整列するように促進することを特徴とする請求項１に記載の装置。
【請求項４】
前記横方向保持部材は、前記折り曲げ装置の前記開形態と前記閉形態との間で、前記第二折り曲げ用プレートとの一体的移動のために、前記第二折り曲げ用プレートと結合されていることを特徴とする請求項３に記載の装置。
【請求項５】
前記横方向保持部材は、多孔性カバーパネルと、前記多孔性カバーパネルと流体連通する内部室とを含み、前記装置は、前記横方向保持部材の前記内部室と流体連通する真空源を更に含み、前記保持部材は、真空モードにおいて作動可能であり、前記真空源が前記内部室を介して前記横方向保持部材の前記多孔性カバーパネル上に真空を引き込み、前記カバー上に前記下着の前記第二締結部分を吸引して、保持することを特徴とする請求項３に記載の装置。
【請求項６】
前記吸収性下着は、ほぼ前記第一端部領域で、１対の横方向に間隔を持つ第一締結部分と、ほぼ前記第二端部領域で、対応する１対の横方向に間隔を持つ第二締結部分とを有し、前記横方向保持部材は、前記第二折り曲げ用プレートの１つの横方向側部に近接する第一横方向保持部材を含み、その上に前記第二締結部分の１つを保持するようにされ、前記折り曲げ装置は、前記第二折り曲げ用プレートの対向する横方向側部に近接する第二横方向保持部材を更に含み、前記折り曲げ用プレートが前記折り曲げ装置の前記開形態から前記閉形態に移動する間に、前記第二締結部分の１つを保持するようにされたことを特徴とする請求項３に記載の装置。
【請求項７】
前記保持装置は、前記折り曲げ装置の前記開形態と前記閉形態との間の前記折り曲げ用プレートの移動に対応して、前記第一及び第二折り曲げ用プレートに対して移動可能であることを特徴とする請求項１に記載の装置。
【請求項８】
前記保持装置は、前記第一及び第二折り曲げ装置の少なくとも１つに作動的に結合されており、前記折り曲げ装置の前記開形態と前記閉形態との間で、前記少なくとも１つの前記第一及び第二折り曲げ装置の移動は、前記第一及び第二折り曲げ用プレートに対して、前記折り曲げ装置が移動するように駆動することを特徴とする請求項７に記載の装置。
【請求項９】
前記横方向保持部材は、前記折り曲げ装置の前記開形態と前記閉形態との間で、前記第二折り曲げ用プレートの移動に対応するものであり、前記第二折り曲げ用プレートに対して移動することを特徴とする請求項３に記載の装置。
【請求項１０】
縦方向軸と、横方向軸と、第一端部領域と、第二端部領域と、前記第一端部領域と前記第二端部領域との間にあって、これらを相互結合するように縦方向に延びる中央領域と、ほぼ前記第一端部領域に設けられた第一締結部分と、前記第一締結部分と縦方向に間隔をもった関係でほぼ前記第二端部領域に設けられ、予め締結された形態の前記吸収性衣類を固定するように前記第一締結部分と係合可能な第二締結部分とを有し、部分的に組み立てられた形態では前記第一及び第二締結部分は締結されず、ほぼ折り曲げられておらず、予め締結された形態では折り曲げられて、前記第一及び第二締結部分が互いに係合されるようになる吸収性下着の最初の製造中に、前記部分的に組み立てられた、締結されていない形態から、前記予め締結された形態に下着を再形成するための、吸収性下着を機械的に締結するための装置であって、前記装置は、
移動方向に移動するように駆動される移動装置と、
前記移動方向に前記移動装置により運ばれる縦方向折り曲げ装置と、
を備え、
前記縦方向折り曲げ装置は、部分的に組み立てられた形態において吸収性下着を受け取る開形態と、前記吸収性下着が、前記折り曲げ装置により縦方向に折り曲げられる閉形態との間で前記移動装置に対して形成可能であり、
前記縦方向折り曲げ装置は、前記折り曲げ装置の前記開形態と前記閉形態との間で、互いに移動可能な第一及び第二折り曲げ用プレートを含み、前記折り曲げ装置の前記閉形態においては、前記折り曲げ用プレートは互いに対向する関係にあり、前記折り曲げ装置の前記開形態においては、前記プレートは互いに対向する関係ではなく、
前記第二折り曲げ用プレートにほぼ近接し、前記折り曲げ装置の前記開形態からその前記閉形態に前記折り曲げ用プレートが移動する時に、前記下着の前記第二締結部分を保持するようにされた横方向保持部材とを更に含み、
前記横方向保持部材は、前記第二折り曲げ用プレートに対して少なくとも横方向に移動可能で、前記第二折り曲げ用プレートに対する前記下着の前記第二締結部分の前記横方向位置を調節して、前記折り曲げ装置の前記閉形態において、前記下着の前記第二締結部分と前記第一締結部分の締結係合を促進することを特徴とする装置。
【請求項１１】
前記横方向保持部材は、前記折り曲げ装置の前記開形態と前記閉形態との間で、前記第二折り曲げ用プレートとの一体的移動のために、前記第二折り曲げ用プレートと結合されることを特徴とする請求項１０に記載の装置。
【請求項１２】
前記横方向保持部材は、多孔性カバーパネルと、前記多孔性カバーパネルと流体連通する内部室とを含み、前記装置は、前記横方向保持部材の前記内部室と流体連通する真空源を更に含み、前記保持部材は、真空モードにおいて作動可能であり、前記真空源が前記内部室を介して前記横方向保持部材の前記多孔性カバーパネル上に真空を引き込み、前記カバーパネル上に前記下着の前記第二締結部分を吸引して、保持することを特徴とする請求項１０に記載の装置。
【請求項１３】
前記吸収性下着は、ほぼ前記第一端部領域にあって１対の横方向に間隔を持つ第一締結部分と、ほぼ前記第二端部領域にあって対応する１対の横方向に間隔を持つ第二締結部分とを有し、前記横方向保持部材は、前記第二折り曲げ用プレートの１つの横方向側部に近接する第一横方向保持部材を含み、その上に前記第二締結部分の１つを保持するようにされ、前記折り曲げ装置は、前記第二折り曲げ用プレートの対向する横方向側部に近接する第二横方向保持部材を更に含み、前記折り曲げ用プレートが前記折り曲げ装置の前記開形態から前記閉形態に移動する間に、前記第二締結部分の１つを保持するようにされたことを特徴とする請求項１０に記載の装置。
【請求項１４】
前記横方向保持部材は、前記折り曲げ装置の前記開形態と前記閉形態との間で、前記第二折り曲げ用プレートの移動に対応するものであり、前記第二折り曲げ用プレートに少なくとも横方向に移動することを特徴とする請求項１０に記載の装置。
【請求項１５】
前記吸収性下着は、縦方向軸と、横方向軸と、第一縦方向端部領域と、第二縦方向端部領域と、前記第一及び第二端部領域の縦方向中間にあり、これらを相互結合する中央領域と、前記第一端部領域にある第一締結部分と、対応する前記第一締結部分から縦方向に間隔をもって前記第二端部領域に設けられ、前記第一締結部分と係合可能な第二締結部分とを有する吸収性下着の最初の製造中に、予め締結された吸収性下着を機械的に形成し、該吸収性下着を、その予め締結された形態に固定する方法であって、前記方法は、
前記下着がほぼ折り曲げられておらず、前記第一及び第二締結部分が、締結されていない形態を有するように、前記吸収性下着を部分的に組み立て、
前記吸収性下着を移動方向に移動させ、
前記下着の前記第一及び第二端部領域が、互いが全体的に対向する関係となるように前記吸収性下着を縦方向に折り曲げて、前記部分的に組み立てられた衣類を前記移動方向に移動する間に前記縦方向折り曲げ段階が成されるようにし、
前記下着を前記移動方向に移動する時に、前記吸収性下着の縦方向折り曲げを行いながら、前記下着の前記第一端部領域と前記第二端部領域との間が束状に凝集しないように、前記吸収性衣類の前記中央領域を保持することを特徴とする方法。
【請求項１６】
前記第一締結部分の前記横方向位置に対して、前記下着の前記第二締結部分の前記横方向位置を調整し、前記吸収性衣類を縦方向に折り曲げる時に、前記下着の前記第二締結部分との締結係合を促進することを更に含むことを特徴とする請求項１５に記載の方法。
【請求項１７】
前記第一締結部分をほぼ横方向に折り曲げて、前記下着を縦方向に折り曲げる時に、前記第一締結部分は、締結係合のために前記第二締結部分と対向する関係であることを更に含むことを特徴とする請求項１６に記載の方法。
【請求項１８】
前記下着の前記第二締結部分の前記横方向位置を調整する前記段階は、前記下着を縦方向に折り曲げることに対応して成されることを特徴とする請求項１６に記載の方法。
【請求項１９】
縦方向折り曲げの間に、前記吸収性衣類の前記中央領域を保持する前記段階は、前記下着を縦方向に折り曲げる間に前記吸収性下着の前記中央領域に真空を付与して、前記下着の前記第一端部領域と前記第二端部領域との間が束状に凝集しないように前記中央領域を保持することを特徴とする請求項１５に記載の方法。
【請求項２０】
縦方向軸と、横方向軸と、第一縦方向端部領域と、第二縦方向端部領域と、前記第一及び第二端部領域の縦方向中間で、相互結合する中央領域と、前記第一端部領域での第一締結部分と、対応する前記第一締結部分から縦方向に間隔をもった位置で前記第二端部領域に設けられ、前記第一締結部分と係合可能な第二締結部分とを有する吸収性下着の最初の製造中に、予め締結された吸収性下着を機械的に形成し、前記吸収性下着を、その予め締結された形態に固定する方法であって、前記方法は、
前記下着が全体的に折り曲げられておらず、前記第一及び第二締結部分が、締結されていない形態を有するように、前記吸収性下着を部分的に組み立て、
前記吸収性下着を移動方向に移動し、
前記下着の前記第一及び第二端部領域が、互いが全体的に対向する関係となるように前記吸収性下着を縦方向に折り曲げて、前記部分的に組み立てられた衣類を前記移動方向に移動する間に前記縦方向折り曲げ段階が成されるようにし、
前記第一締結部分に対して前記下着の前記第二締結部分の前記横方向位置を調整し、前記吸収性衣類を縦方向に折り曲げる時に、前記下着の前記第一締結部分との締結係合を促進する、
段階からなり、前記調整段階は、前記下着を前記移動方向に移動する間に成されることを特徴とする方法。
【発明の詳細な説明】
【技術分野】
【０００１】
本発明は、概略的には、予め組み立てられた又は予め締結された吸収性下着を形成するための装置及び形成方法、より特定的には、このような下着を形成する間に、予め締結された吸収性下着に組み込む締結用部品を係合する装置及びその方法に関する。
【０００２】
吸収性下着は、これらに限定されるものではないが、オムツ、訓練用パンツ及び大人用失禁用製品を含む多くの用途を有する。典型的な吸収性下着は、液体透過性身体側ライナーと外カバーとの間に配置される吸収性組立体を含む複合構造として形成される。これらの部品は、弾性材料及び収容構造などの他の材料及び特性と結合して、意図する目的に特に適した製品を形成することができる。多くのこのような下着は、衣類の製造中に互いに固定される（例えば、予め締結される）ように意図された締結用部品を含み、これによって、製品は、完全に組み立てられて、着用可能な形態で梱包される。
【０００３】
例として、子ども用訓練用パンツは、従来は、中央吸収性シャーシと、その縦方向両側の端部に近接する、シャーシから横方向外側に延びる前及び後側部パネルを有する。前及び後側部パネルの各々は、その上にフック又はループ締結具などの締結用部品を有する。訓練用パンツの製造中に、中央吸収性シャーシは、最初は全体的に平坦に形成されて、次に前及び後側部パネルが、互いに向き合うように折り曲げられる。前及び後側部パネルのそれぞれの締結用部品は、配列されて、互いが係合され、完全に組み立てられた三次元形態に、訓練用パンツを予め締結する。
【０００４】
しかしながら、製造中に、締結用部品が互いに予め締結されているような、上記した訓練用パンツなどの従来の吸収性下着又は他の予め締結された下着を形成するために存在する技術は、幾つかの点で十分ではない。特に、典型的製造工程は、毎分２５０又はそれ以上の予め締結された吸収性下着を形成するような高速で実施されている。しばしば限定する一要素は、衣類が高速で機械方向に移動する時に、下着の折り曲げが、下着ウエブが移動する方向に垂直な方向に、折り曲げ装置の往復移動が必要とすることである。これは、衣類が折り曲げられる折り曲げラインの位置が一定しない結果となる。通常使用される方法は、１つの装置で衣類が折り曲げられ、次に別個の装置で側部パネルが互いに締結されるなどのように、製造装置に多数の装置を必要とする。特に、製造ラインの折り曲げ装置及び係合装置のいずれかが、折り曲げ及び締結する時に、予め締結された下着の内側に位置しないようにするために多数の装置が使用されなければならず、これによりラインの衣類の移動を妨げることとなる。
【０００５】
この目的のために、特開平第７−２０５９４３号に、多数の対の吸引折り曲げ手段が回転ドラム上に形成され、吸引折り曲げ手段の各々の対は、吸収性衣類を折り曲げて、衣類の側縁に互いを取り付けることの両方ができる折り曲げ装置が示されている。具体的には、ドラムが回転すると、それぞれの対の吸引折り曲げ手段は、折り曲げ手段を平坦に置くか、又は回転ドラムに対して接する開形態の状態である。この形態においては、このような衣類のウエブから切断された衣類は、対の吸引折り曲げ手段上に、平坦な状態に吸引される。ドラムを更に回転させると、衣類の側縁に接着剤が付与される。更にドラムを回転させると、衣類がそれぞれの折り曲げ手段に吸引されている間に、対の吸引折り曲げ手段が、互いを内側に折り曲げる。こうして衣類は半分に折り曲げられて、衣類の端部が重ねられる。一般的に突合せシームと言われるように、衣類の縁部が互いに接触して、接着剤が縁部を保持する。最後に、吸引折り曲げ手段が再び開く位置にドラムが回転し、これにより１つの折り曲げ手段への吸引は減少し、折り曲げられた衣類は、他の折り曲げ手段によってだけ保持されて、更なる工程のためにコンベアに移動される。
【０００６】
このような折り曲げ装置では、折り曲げられた衣類を形成するための処理速度を増加させようとすると、突合せシームは全体的に完成しない外観で存在する。より望ましいものは、一般的に重ね合わせシームと言われるもので、これは、衣類の１つの端部で衣類の側縁が重なり、衣類の反対側の端部で衣類の側縁と係合される。更に、衣類の中央領域すなわち股部領域は、２つの吸引折り曲げ手段に間隔を持ち、衣類の折り曲げ部分に対して移動しないように保持しない。その結果、衣類の中央領域は、衣類の折り曲げに反応して、折り曲げ手段の間に望まれないずれ又は盛り上がりを生じることとなる。
【０００７】
別の例としては、米国特許第５，７７９，８３１号に、折り曲げられていない衣類を４つの位置で把持して、該衣類を半分に折り曲げる装置を示している。下着の把持された部分は、互いが向き合うように、内側に折り曲げられる。その結果、把持された部分に近接する衣類の部分は、互いが重なり、超音波接着装置により互いが接着される。しかしながら、互いが接着される下着の部分は把持されず（すなわち、把持された部分に近接する重なり部分）、したがって対向する関係で保持されない。装置の動き又は他の周囲の状態は、接着されるであろう部分の位置ずれ、折り曲げ又は同様のことをもたらし、望ましくない接着を形成する危険性がある。
【０００８】
【特許文献１】特開平７−２０５９４３公報
【特許文献２】米国特許第５，７７９，８３１号公報
【特許文献３】ＰＣＴ出願番号ＷＯ００／３７００９
【特許文献４】米国特許第４，９４０，４６４号公報
【特許文献５】米国特許第５，７６６，３８９号公報
【特許文献６】米国特許第４，７０４，１１６号公報
【特許文献７】米国特許第５，４８６，１６６号公報
【特許文献８】米国特許第５，４９０，８４６号公報
【特許文献９】米国特許第５，８２０，９７３号公報
【特許文献１０】米国特許第５，２２４，４０５号公報
【特許文献１１】米国特許第５，１０４，１１６号公報
【特許文献１２】米国特許第５，０４６，２７２号公報
【特許文献１３】米国特許第４，６６３，２２０号公報
【特許文献１４】米国特許第５，２２６，９９２号公報
【特許文献１５】欧州特許出願ＥＰ０２１７０３２
【特許文献１６】米国特許第５，１１０，４０３号公報
【発明の開示】
【発明が解決しようとする課題】
【０００９】
重ね合わせシームを形成するための様々な他の装置及び方法は、当業者に知られているが、このような装置及び方法は、典型的には、衣類の折り曲げが形成されるのと同じ装置以外に、重ね合わせシーム形成が成される装置が必要である。このように、付加的処理装置及び時間が、このような重ね合わせシームを形成するために必要とされる。
【００１０】
一実施形態においては、最初の製造工程において、部分的に組み立てられ、締結されていない形態から予め締結された形態に下着を再形成するために、吸収性下着を機械的に締結するための装置は、一般的には、移動方向に移動するように駆動される移動装置と、該移動装置により移動方向に動かされる縦方向折り曲げ装置とを含む。縦方向折り曲げ装置は、縦方向折り曲げ装置が部分的に組み立てられた形態の吸収性下着を受け取る開形態と、吸収性下着が折り曲げ装置により縦方向に折り曲げられる閉形態との間で、移動装置に対して形成可能である。縦方向折り曲げ装置は、折り曲げ装置の開形態と閉形態との間で、互いに対して移動可能な第一及び第二折り曲げ用プレートを含む。折り曲げ装置の閉形態においては、折り曲げ用プレートは、互いが対向する関係であり、折り曲げ装置の開形態においては、プレートは、互いが対向しない関係である。折り曲げ用プレートの各々は、内側端部及び外側端部を有し、折り曲げ用プレートの内側端部は、折り曲げ装置の開形態における折り曲げ用プレートの外側端部より、互いが近位である。折り曲げ用プレートの内側端部は、折り曲げ装置の開形態においては、互いが間隔を持った状態である。
【００１１】
第一折り曲げ用プレートは、吸収性下着の第一端部領域を保持するようにされ、第二プレートは、吸収性下着の第二端部領域を保持するようにされており、吸収性下着の中央領域は、折り曲げ用プレートの内側端部に全体的に近接して、内側端部間に間隔を持つ。折り曲げ用プレートの閉形態においては、折り曲げ装置は、下着の第一及び第二締結用部分が、その間の締結係合に対して重なるように形成される。第一及び第二折り曲げ用プレートから分離した保持装置は、折り曲げ用プレートの内側端部のほぼ中間に配置され、折り曲げ装置の閉形態においては、折り曲げ用プレートの内側端部の縦方向外側に吸収性下着の中央領域を位置決めするようにされる。
【００１２】
別の実施形態においては、最初の製造工程において、部分的に組み立てられ、締結されていない形態から予め締結された形態に下着を再形成するために、吸収性下着を機械的に締結するための装置は、一般的には、移動方向に移動するように駆動される移動装置と、該移動装置により移動方向に動かされる縦方向折り曲げ装置とを含む。縦方向折り曲げ装置は、縦方向折り曲げ装置が、部分的に組み立てられた形態の吸収性下着を受け取る開形態と、吸収性組立体が折り曲げ装置により縦方向に折り曲げられる閉形態との間で、移動装置に対して形成可能である。縦方向折り曲げ装置は、折り曲げ装置の開形態と閉形態との間で、互いに対して移動可能な第一及び第二折り曲げ用プレートを含み、折り曲げ装置の閉形態においては、折り曲げ用プレートは、互いが対向する関係であり、折り曲げ装置の開形態においては、プレートは、互いが対向しない関係である。
【００１３】
横方向保持部材は、全体的に第二折り曲げ用プレートに近接し、折り曲げ装置の開形態からその閉形態に折り曲げ用プレートを移動する時、下着の第二締結用部分を保持するようにされる。横方向保持部材は、第二折り曲げ用プレートに少なくとも横方向に移動可能であり、折り曲げ装置の閉形態において、下着の第二締結用部分と第一締結用部分との締結係合を促進するように、第二折り曲げ用プレートに対して、下着の第二締結用部分の横方向位置を調整する。
【００１４】
一般的には、最初の下着の製造工程において、予め締結された吸収性下着を機械的に形成するための方法の一実施形態は、部分的に組み立てられた吸収性下着を含み、下着が全体的に折り曲げられておらず、第一及び第二締結用部分が締結されていない形態を有する。吸収性下着は、移動方向に移動され、移動方向に部分的に組み立てられた衣類を移動する間、下着の第一及び第二端部領域が全体的に互いに対向する関係であるように、縦方向に折り曲げられる。吸収性衣類の中央領域は、移動方向に下着を移動する間、吸収性下着を縦方向に折り曲げながら、下着の第一端部領域と第二端部領域との間に束上に凝集しないように保持される。
【００１５】
別の実施形態においては、このような方法は一般的には、部分的に組み立てられた吸収性下着を含み、下着が全体的に折り曲げられておらず、第一及び第二締結用部分が締結されていない形態を有する。吸収性下着は、移動方向に移動され、部分的に組み立てられた衣類が移動方向に移動する間、下着の第一及び第二端部領域が全体的に互いに対向する関係であるように縦方向に折り曲げられる。下着の第二締結用部分の横方向位置は、吸収性衣類を縦方向に折り曲げる時に、下着の第一締結用部分と締結係合を促進するように第一締結部分に対して調整され、該調整段階は、下着を移動方向に移動する間に実施される。
【００１６】
対応する参照番号は、図面全体にわたって対応する部分を示す。
【発明を実施するための最良の形態】
【００１７】
ここで述べられた方法及び装置は、これらに限定されるものではないが、オムツ、訓練用パンツ、女性用衛生製品、失禁用製品、医療用衣類、他の個人ケアー用又は健康ケアー用衣類、水着、運動用衣類、パンツ及びショーツ、及び同様のものを含む種々異なる吸収性下着を形成するために使用することができる。説明を簡単にするために、これらの方法及び装置は、今後、図１に全体的に２０で示しているような、予め締結された子供用訓練用パンツに関連して、特定的に述べる。特に、方法及び装置は、２０００年６月２９日付けのＡ．Ｌ．Ｆｌｅｔｃｈｅｒ他のＰＣＴ出願番号ＷＯ００／３７００９に記載されているパンツに類似した、予め締結された使い棄て訓練用パンツの形成に関して述べられ、この特許は引用によりここに組み入れられる。訓練用パンツ２０は、１９９０年７月１０日付けのＶａｎＧｏｍｐｅｌ他の米国特許第４，９４０，４６４号及び１９９８年６月１６日付けのＢｒａｎｄｏｎ他の米国特許第５，７６６，３８９号に記載されている方法及び装置を使用して形成することができ、これらの特許は引用によりここに組み入れられる。
【００１８】
図面、特に図１を参照すると、訓練用パンツ２０は、部分的に締結された状態で示されており、吸収性シャーシ３２及び締結システム８０を含む。吸収性シャーシ３２は、前腰部領域２２（広くは、第一縦方向端部領域）と、後腰部領域２４（広くは、第二縦方向端部領域）と、前及び後腰部領域との間に延び、相互結合する股部領域２６（広くは、中央領域）と、着用者に面する内側表面２８と、内側表面の反対側で、着用者とは反対側に向く外側表面３０とを含む。図２及び３を更に参照すると、吸収性シャーシ３２は、１対の横方向両側の側縁３６と、１対の縦方向両側の腰部縁とを有し、それぞれは、前腰部縁３８及び後腰部縁３９を示す。前腰部領域２２は前腰部縁３８と連続し、後腰部領域２４は後腰部縁３９と連続する。
【００１９】
示された吸収性シャーシ３２は、平坦に置いた時に長方形又はあらゆる他の望まれる形状とすることができる複合構造体３３を含み、そこから外向きに延びる１対の横方向両側の前側部パネル３４と、１対の横方向両側の後側部パネル１３４とを有する。複合構造体３３及び側部パネル３４及び１３４は、図１に示したように２又はそれ以上の別個の要素を含むか、又は一体に形成することができる。一体に形成された側部パネル３４、１３４及び複合構造体３３は、身体側ライナー、フラップ複合体、外カバー、他の材料及び／又はこれらの組み合わせなどの少なくとも幾つかの共通材料を含み、及び／又は１片の弾性の、延伸可能な、又は延伸可能ではないパンツを形成することができる。示した複合構造体３３は、外カバー４０、外カバーと重なる関係で結合された身体側ライナー４２（図１及び３）、及び外カバーと身体側ライナーとの間に位置する吸収性組立体４４（図３）、及び１対の収容フラップ４６（図３）を含む。示した複合構造体３３は、前腰部縁３８及び後腰部縁３９の部分を形成する両側の端部４５と、吸収性シャーシ３２（図２及び３）の側縁３６の部分を形成する両側の側縁４７とを有する。例えば、矢印４８及び４９は、それぞれ訓練用パンツ２０の縦方向軸及び横方向又は横向き軸の方向を示す。
【００２０】
図１に部分的に示しているような、締結した位置における訓練用パンツ２０では、前及び後側部パネル３４、１３４は、互いが固定されて、腰部開口５０、１対の脚部開口５２及び内側空間５３を有する３次元のパンツ形態を形成する。前腰部領域２２は、着用された時、着用者の前に位置する訓練用パンツの部分を含み、後腰部領域２４は、着用された時、着用者の後に位置する訓練用パンツの部分を含む。訓練用パンツ２０の股部領域２６は、着用された時、着用者の脚部の間に位置し、着用者の低胴部を覆う訓練用パンツ２０の部分を含む。前及び後側部パネル３４及び１３４は、着用された時、着用者の臀部に位置する訓練用パンツ２０の部分を含む。吸収性シャーシ３２の腰部縁３８及び３９は、着用された時着用者の腰部を囲むように形成され、互いが腰部開口５０（図１）を形成する。股部領域２６の側縁３６の部分は、全体的に脚部開口５２を形成する。
【００２１】
吸収性シャーシ３２は、着用者から排出されるあらゆる排出物を収容及び／又は吸収するように形成される。例えば、吸収性シャーシ３２は、必須ではないが、１対の収容フラップ４６を含むことが望ましく、身体排出物の横方向流出にバリアを与えるように形成される。フラップ弾性部材５３（図３）は、当業者によく知られているようなあらゆる適当な方法で、各々の収容フラップ４６と作動的に結合することができる。弾性収容フラップ４６は、訓練用パンツ２０の少なくとも股部領域２６において、直立した形態を呈する取り付けられていない縁部を形成し、着用者の身体に対してシールを形成する。収容フラップ４６は、吸収性シャーシ３２の側縁３６に沿って位置することができ、吸収性シャーシの長さ全体にわたって縦方向に延びることができるか、又は吸収性シャーシの長さに沿って部分的にだけ延びることができる。収容フラップ４６のための適当な構成及び配列は、一般的に当業者によく知られており、１９８７年１１月３日付けのＥｎｌｏｅの米国特許第４，７０４，１１６号に記載されており、引用によりここに組み入れられる。
【００２２】
身体排出物の収容及び／又は吸収を更に促進するために、訓練用パンツ２０は、必須ではないが、当業者に知られているように、前腰部弾性部材５４、後腰部弾性部材５６、及び脚部弾性部材５８を含むことが望ましい。腰部弾性部材５４及び５６は、両側の腰部縁３８及び３９に沿って、外カバー４０及び／又は身体側ライナー４２と作動的に結合することができ、腰部縁の部分又は全体にわたって延びることができる。脚部弾性部材５８は、両側の側縁３６に沿って、外カバー４０及び／又は身体側ライナー４２に作動的に結合することができ、更に訓練用パンツ２０の股部領域２６に位置することができる。脚部弾性部材５８は、複合構造体３３の各々の側縁４７に沿って、縦方向に配列することができる。
【００２３】
フラップ弾性部材５３、腰部弾性部材５４及び５６、及び脚部弾性部材５８は、あらゆる適当な弾性材料で形成することができる。当業者によく知られているように、適当な弾性材料は、シート、天然ゴムのストランド又はリボン、合成ゴム、又は熱可塑性エラストマー性ポリマーを含む。弾性材料は、延伸して基体に粘着することができるか、ギャザー寄せした基体に粘着することができるか、又は基体に粘着して、その後、例えば熱を付与して弾性圧縮力を基体に与えて弾性又は収縮させることができる。
【００２４】
外カバー４０は、適当なものとしては、実質的には液体不透過性である材料を含み、弾性、延伸可能又は非延伸可能とすることができる。外カバー４０は、液体不透過性材料の単一層とすることができるが、少なくとも１つの層が液体不透過性である多層積層体構造を含むことが望ましい。例えば、外カバー４０は、液体透過性外側層及び液体不透過性内側層を含むことができ、適当なものとしては、積層体接着剤、超音波接着、熱接着、又は同様のものにより互いが結合される。適当な積層体接着剤は、ビード、スプレー、平行渦巻き、又は同様のもののように、連続して又は断続的に付与することができる。液体透過性外側層は、あらゆる適当な材料とすることができ、一般的に布のような手触りを与えるものが望ましい。外カバー４０の内側層は、液体及び蒸気の両方に不透過性であるか、又は液体不透過性かつ蒸気透過性とすることができる。内側層は、薄い可塑性フィルムから製造することができるが、他の可撓性液体不透過性材料も使用することができる。内側層、又は単一層の場合の液体不透過性外カバー４０は、廃棄材料が、ベッドシーツ及び布などの物品、並びに着用者及び介護人を湿潤させるのを妨げる。
【００２５】
液体透過性身体側ライナー４２は、外カバー４０及び吸収性組立体４４に重なるように示されており、外カバー４０と同じ寸法とすることもできるが、その必要性はない。身体側ライナー４２は、しなやかで、柔軟な感触を持ち、子供の肌に刺激を与えないことが望ましい。更に、身体側ライナー４２は、吸収性組立体４４より親水性ではなく、着用者に比較的乾燥した表面を与えることができ、その厚さを通して液体が容易に挿通することを可能とさせる。代替的には、身体側ライナー４２は、吸収性組立体４４より更に親水性とするか、又は本質的には、吸収性組立体４４と同じ蒸気に対する親和性を有することができ、着用者に比較的湿潤した表面を与えて、湿潤感覚を増加させる。この湿潤感覚は、訓練用目的としては有益とすることができる。親水性／疎水性特性は、身体側ライナー４２の長さ、幅及び厚さ、及び吸収性組立体４４に対して変化することができ、望ましい湿潤感覚又は漏れ性能を達成することができる。
【００２６】
身体側ライナー４２は、合成繊維（例えば、ポリエステル又はポリプロピレン繊維）、天然繊維（例えば、木質又は綿繊維）、天然繊維と合成繊維の組み合わせ、多孔性発泡体、網目状発泡体、多孔性可塑性フィルム、又は同様のものなどの、ウエブ材料から広く選択して形成することができる。様々な織成布及び不織布が、身体側ライナー４２に使用することができる。例えば、身体側ライナーは、ポリオレフィン繊維のメルトブローンウエブ又はスパンボンドウエブで形成することができる。身体側ライナーは、天然繊維及び／又は合成繊維で形成されたボンデッドカーデッドウエブとすることができる。身体側ライナーは、実質的には、疎水性材料で形成することができ、疎水性材料は、任意ではあるが、望ましい程度の湿潤性及び親水性を与えるために、表面活性剤で処理されるか又はその他の方法で加工することができる。外カバー４０、身体側ライナー４２及びパンツを形成するために使用される他の材料は、エラストマー性材料又は非エラストマー性材料を含むことができる。
【００２７】
吸収性組立体４４（図３）は、外カバー４０と身体側ライナー４２との間に位置し、接着剤、超音波接着、熱接着、又は同様のものなどのあらゆる適当な手段により、互いに接合することができる。吸収性組立体４４は、全体的に圧縮可能で、心地よく、子どもの肌に刺激がないあらゆる構造とすることができ、液体及びある種の身体排出物を吸収して、保持することが可能であり、広く種々異なる大きさ及び形状で、更に広く種々異なる、当技術に一般的に使用される液体吸収性材料から製造することができる。例えば、吸収性組立体４４は、適当なものとしては、超吸収性材料として一般的に知られている高吸収性材料の粒状物と混合された、セルロース系フラフのウエブなどの、親水性繊維のマトリックスを含むことができる。特定の実施形態においては、吸収性組立体４４は、木質パルプフラフなどのセルロース系フラフのマトリックス、及び超吸収性ヒドロゲル形成粒状物を含む。木質パルプフラフは、合成繊維、ポリマー繊維、メルトブローン繊維、又はショートカットホモフィル二成分合成繊維及び天然繊維と替えることができる。超吸収性粒状物は、実質的には、親水性繊維と均一に混合されるか、又は非均一に混合することができる。フラフ及び超吸収性粒状物は、吸収性組立体４４の望まれる領域に選択して配置することができ、身体排出物を更に良好に収容し、吸収する。超吸収性粒状物の濃度は、吸収性組立体４４の厚さを通して変化することができる。代替的には、吸収性組立体４４は、繊維性ウエブの積層体、及び超吸収性材料、又は超吸収性材料を局所的領域に維持する他の適当な手段を含むことができる。
【００２８】
適当な超吸収性材料は、天然、合成、及び変成した天然ポリマー及び材料から選択することができる。超吸収性材料は、シリカゲルなどの無機材料、又は例えば、ナトリウム中和されたポリアクリル酸のような架橋結合したポリマーなどの有機化合物とすることができる。典型的には、超吸収性材料は、水においてその重量の少なくとも約１５倍を吸収することが可能であり、望ましくは、水においてその重量の約２５倍より多くを吸収することが可能である。概して、超吸収性材料は、吸収性組立体の総重量の０から約９０重量パーセントの量で、吸収性組立体４４内に存在する。吸収性組立体４４は、吸収性組立体の一体性及び／又は形状を維持することを介助できる適当なティッシュラップによりラップされるか又は囲まれることができる場合もあるし、又はできない場合もある。
【００２９】
吸収性シャーシ３２は、最初は液体を受け取り、一時的に貯蔵し、及び／又は吸収性組立体４４と互いに面する表面に沿って移動するように設計された他の材料を組み込むことができ、これにより吸収性組立体の吸収容量を最大にすることができる。１つの適当な材料は、サージ層（図示されず）と言われており、吸収性組立体４４に近接して（例えば、吸収性組立体とライナー４２との間）配置され、接着剤、超音波接着又は熱接着などの当業者に知られている方法によって、吸収性組立体及び／又は身体側ライナー４２などの物品２０の様々な部品に取り付けることができる。サージ処理層は、吸収性組立体４４に迅速に導入することができる液体のサージ又は放出を減速及び放散することを可能とする。望ましくは、サージ処理層は、吸収性組立体４４の貯蔵又は保持部分に液体を放出する前に、液体を迅速に受け取り、一時的に保持することができる。適当なサージ処理層の例としては、米国特許第５，４８６，１６６号及び米国特許第５，４９０，８４６号に記載されている。他の適当なサージ処理材料は、米国特許第５，８２０，９７３号に記載されている。これらの特許の開示全体は、引用によりここに組み入れられる。
【００３０】
前述したように、前及び後側部パネル３４及び１３４は、互いが縦方向に間隔を持つ関係で、吸収性シャーシ３２の横方向両側の側部上に配置される。前側部パネル３４は、シーム６６に沿って、前及び後腰部領域２２及び２４のそれぞれにおいて、吸収性シャーシ３２の複合構造体３３に永久に接着することができる。より特定的には、図２及び３に最もよく見られるように、前側部パネル３４は、前腰部領域２２において、複合構造体３３の側縁４７を越えて横方向外向きに永久的に接着し、かつ延びることができ、後側部パネル１３４は、後腰部領域２４において、複合構造体の側縁を越えて横方向外向きに永久的に接着し、かつ延びることができる。側部パネル３４及び１３４は、接着剤、熱接着又は超音波接着などの当業者に知られている取り付け手段を使用して、複合構造体３３に接着することができる。代替的には、側部パネル３４及び１３４は、複合構造体３３の部品の一体した部分として形成することができる。例えば、側部パネルは、一般的には、外カバー４０の広めの部分、身体側ライナー４２、及び／又は吸収性シャーシ３２の別の部品を含むことができる。前及び後側部パネル３４及び１３４は、締結システム８０により示されるように、互いに永久に接着するか、又は互いに取り外し可能に係合することができる。
【００３１】
側部パネル３４、１３４は、必須ではないが、訓練用パンツ２０の横方向軸４９にほぼ平行な方向に延伸することが可能な弾性材料を含むことができる。適当な弾性材料、並びに弾性側部パネルを訓練用パンツに組み込む一方法は、１９９０年７月１０日付けのＶａｎ  Ｇｏｍｐｅｌ他の米国特許第４，９４０，４６４号、１９９３年７月６日付けのＰｏｈｊｏｌａの米国特許第５，２２４，４０５号、１９９２年４月１４日付けのＰｏｈｊｏｌａの米国特許第５，１０４，１１６号、及び１９９１年９月１０日付けのＶｏｇｔ他の米国特許第５，０４６，２７２号に記載されており、これらすべては引用によりここに組み入れられる。特定の実施形態においては、弾性材料は、延伸熱接合積層体（ＳＴＬ）、ネック付与状態で接着した積層体（ＮＢＬ）、可逆的にネック付与した積層体、又は延伸接着した積層体（ＳＢＬ）材料を含む。このような材料を形成する方法は、当業者によく知られており、１９８７年５月５日付けのＷｉｓｎｅｓｋｉ他の米国特許第４，６６３，２２０号、１９９３年７月１３日付けのＭｏｒｍａｎの米国特許第５，２２６，９９２号、及び１９８７年４月８日付けのＴａｙｌｏｒ他の欧州特許出願番号ＥＰ０２１７０３２に記載されており、これらのすべては引用によりここに組み入れられる。代替的には、側部パネル材料は、外カバー４０又は身体側ライナー４２に適当なものとして上記したもの、機械的に予め歪めた複合体、又は延伸可能ではあるが非弾性材料のような、他の織成材料又は不織材料を含むことができる。
【００３２】
示された訓練用パンツ２０は、着用者の腰部周囲に訓練用パンツを再締結可能な状態で固定するために、締結システム８０を含む。示された締結システム８０は、第二締結用部品８２に対応する再締結可能な係合に適合する第一締結用部品８４を含む。一実施形態においては、各々の第一締結用部品８４の１つの表面は、その表面から突き出す複数の係合要素を含む。第一締結用部品８４の係合要素は、第二締結用部品８２の係合要素を、繰り返し係合及び取り外しするのに適している。
【００３３】
締結用部品８４、８２は、側部パネル３４、１３４に接着する別個の要素を含むことができるか、又は側部パネルと一体に形成することができる。このように、特記しない限り、「締結用部品」という用語は、締結具として機能する別個の部品、及び締結具として機能する側部パネルのような材料の領域を含む。更に、単一材料は、材料の異なる領域が別個の締結具として機能する範囲で多数の締結用部品を定めることができる。締結用部品８４、８２は、吸収性シャーシ上などの側部パネルの間で、又は２つの組み合わせの間で、側部パネル３４、１３４上に位置することができる。締結用部品８４、８２は、接着剤締結具、粘着剤締結具、機械締結具、又は同様のものなどの、吸収性物品に適当なあらゆる再締結可能な締結具を含むことができる。特定の実施形態においては、締結用部品は、性能を改善するために機械締結要素を含む。適当な機械締結要素は、フック、ループ、バルブ、マッシュルーム型、矢じり型、ステム上のボール、雄・雌締結部品、バックル、スナップ、又は同様のものなどの、相互係合した幾何学形状の材料により形成することができる。
【００３４】
示した実施形態においては、第一締結用部品８４はフック締結具を含み、第二締結用部品８２は相補的ループ締結具を含む。別の特定の実施形態においては、第一締結用部品８４はループ締結具を含み、第二締結用部品８２は相補的フック締結具を含む。代替的には、締結用部品８４、８２は、相互係合する類似した表面締結具、接着剤締結具及び接着剤受容ランディング領域又は材料のような接着剤又は粘着剤締結要素、又は同様のものを含む。図１に示されている訓練用パンツ２０は、前側部パネル３４に重なる後側部パネル１３４を示しているが、代わりに、訓練用パンツ２０は、前側部パネルが後側部パネルに重なるように形成することができる。
【００３５】
図２を特に参照すると、締結用部品８４は、前側部パネル３４の外側表面３０上に配置される。締結用部品８４は、締結用部品８２を受け入れるような大きさであり、適当なものとしては、前側部パネル３４の外側縁に沿って位置決めされ、パンツ２０の前すなわち第一端部領域２２で、横方向に間隔を持った前すなわち第一締結部分を広く定める。図３を特に参照すると、締結用部品８２は、後側部パネル１３４の内側表面２８上に配置される。締結用部品８２は、適当なものとしては、後側部パネル１３４の横方向外側縁に沿って位置決めされ、パンツ２０の後すなわち第二端部領域２４で、横方向に間隔を持った後すなわち第二締結部分を広く定める。締結用部品８２、８４は、側部パネル１３４、３４の外側縁を越えて、横方向に延びることができることが理解される。第一締結用部品８２が、内側表面２８上に配置されるループ締結具を含み、第二締結用部品８４が、外側表面３０上に配置されるフック締結具を含む場合に、第一締結用部品は、第二締結用部品より大きいサイズとすることができ、外向きに置かれたフックを確実に遮蔽する。ここで用いられる締結部分という用語は、互いが重なり合って、締結可能に係合される衣類の部分を広く意味し、パンツ２０の予め締結された（例えば、三次元の着用可能な）形態を形成する。
【００３６】
締結用部品８４、８２は、接着剤接着、超音波接着、熱接着及び圧力接着などの当業者に知られているあらゆる手段によって、それぞれの側部パネル３４、１３４に粘着することができる。締結用部品８４、８２は、別個の締結要素又は一体した材料の別個の領域を含むことができる。例えば、訓練用パンツ２０は、２又はそれ以上の異なる領域で、第一締結用部品８２に再締結可能に結合するために、前腰部領域２２に配置される一体した第二締結用材料を含むことができ、これは第二締結用部品８４（図１）を定める。特定の実施形態においては、締結用部品８２、８４は、腰部領域２４、２２の一体した部分を含むことができる。例えば、エラストマー性の前又は後側部パネル３４、１３４の１つは、両側の腰部領域に配置される締結用部品８２と取り外し可能に係合可能な材料を含むことができるということにおいて、第二締結用部品８４として機能することができる。
【００３７】
係合した時、パンツ２０の示された締結用部品８２、８４（より適当なものとしては、前及び後締結部分）は、再締結可能な係合シーム（図１）を定める。着用者の側部に位置する係合シーム８８に対して、後側部パネル１３４の締結用部品８２の間の横方向距離が、実質的には前側部パネル１３４の締結用部品８４の間の横方向距離と等しいものとすることが、特に望ましい。一組の締結用部品８２、８４の間の横方向距離は、側部パネル３４、１３４を延伸しない状態で計測した、締結用部品の縦方向中央線の間の横方向軸４９に平行に計測される。代替的には、締結用部品８２の間の横方向間隔は、締結用部品８４の間の横方向間隔より大きいか、又は小さいものとすることができる。締結用部品８２（及び／又は締結用部品８４）は、本発明の範囲から外れることなく、縦方向にオフセットすることなどにより、互いが横方向に対向するものではないか、又は互いが部分的にのみ横方向に対向することができる。
【００３８】
図４は、適当な組立システムの一実施形態を、全体を１００で示して表したもので、吸収性下着の連続するウエブを組み立てて、その後図１−３に示された訓練用パンツ２０などの別個の下着に切断され、次に完全に組み立てられた状態か、又は予め互いに締結された形態に予め締結される。訓練用パンツ２０の様々な部品は、例えば、接着剤、熱接着及び／又は超音波接着などの当業者に知られているあらゆる手段によって、組立システム１００に互いに固定することができる。フレーム及び取り付け構造、超音波接着及び接着剤接着装置、移動コンベア、移送ロール、ガイドロール、張力ロール、及び同様のものを含む、当業者に知られ、理解されているある種の衣類製造装置は、当業者によく知られており、図４には示されなかった。例としては、適当な吸収体供給機構、ウエブ繰り出し装置、コンベアシステム、位置合わせシステム、駆動システム、制御システム及び同様のものは、１９９８年６月１６日付けのＢｒａｎｄｏｎ他の米国特許第５，７６６，３８９号に記載されており、その全体は引用によりここに組み入れられる。
【００３９】
図４に示された組立システム１００を特に参照すると、身体側ライナー４２を形成するために使用される連続する材料の供給１０４は、供給源１０６から提供される。供給源１０６は、例えば、あらゆる標準繰り出し機構を含むことができ、一般的には、１対のスピンドル、フェストゥーン組立体、及び望ましい速度及び張力で身体側ライナー材料１０４を供給するためのダンサーロールを含む。矢印１０８で示された機械方向に材料が移動するにしたがって、様々な部品を、身体側ライナー材料１０４上に配置し及び／又は接着することができる。特に、サージ層は、付与装置１１０で供給されて、身体側ライナー材料１０４上に配置され及び／又は材料に接着することができる。サージ層は、連続するウエブ或いは別個のシートのいずれかを含むことができる。更に、収容フラップモジュール１１２は、予め組み立てられた収容フラップを身体側ライナー材料１０４に取り付けるために、供給源１０６から下向きに供給することができる。様々部品が組立システム１００に付加されるにしたがって、連続して移動する製品組立体１１３が形成される。
【００４０】
複数の吸収性組立部品１１４が、適当な供給源１１５から供給することができる。供給源１１５は、吸収性組立部品１１４を供給するための、あらゆる従来の機構とすることができる。一般的には、従来の供給源は、フラフ繊維を形成するための、及び望まれるならば超吸収性材料とフラフ繊維を混合するための囲みを提供し、次に望ましい吸収体設計を有する形成ドラム上にフラフ及び超吸収性材料を堆積するために、ハンマーミルを含むことができる。個々の吸収性組立部品１１４は、１つが各々の対の訓練用パンツのために、連続して移動する身体側ライナー材料１０４上に継続的に堆積することができる。吸収性組立部品１１４の位置は、使用されるならば、サージ材料の位置に合わせて位置決めすることができる。吸収性組立部品１１４は、接着剤又は他の適当な手段を使用して、１又はそれ以上の他の部品に接着することができる。代替的には、複合吸収性材料は、ロール又はフェストゥーン状の梱包などの圧縮した梱包から、変換工程に給送することができる。
【００４１】
側部パネル３４、１３４を形成するために使用される連続するウエブの材料１１６は、適当な供給源１１７から供給することができる。供給源１１７は、１又はそれ以上の標準繰り出し機構を含むことができる。側部パネル材料１１６は、個々のストリップ１１８に切断し、アプリケーター装置１２０を使用して、身体側ライナー材料１０４上に部分的に位置決めすることができる。機械横方向においては、個々のストリップ１１８は、身体側ライナー材料１０４から横方向外向きに延びることが望ましく（図４及び図７参照）、ストリップが身体側ライナー及び／又は収容フラップ材料に接着することが可能なように、約２センチメートル又はそれ以上などの量で、身体側ライナー材料と重なる。機械方向１０８においては、ストリップ１１８の位置は、吸収性組立部品１１４に対して位置決めされ、製品組立体１１３は、連続するパンツの前側部パネル３４及び後側部パネル１３４の両方を形成する側部パネル材料１１６の各々のストリップ１１８で、吸収性組立部品の間を切断することができる。
【００４２】
１つの適当なアプリケーター装置１２０が、１９９２年４月１４日付けのＰｏｈｊｏｌａの米国特許第５，１０４，１１６号及び１９９３年７月６日付けのＰｏｈｊｏｌａの米国特許第５，２２４，４０５号に記載されており、引用によりここに組み入れられる。アプリケーター装置１２０は、切断用組立体１２２及び回転式移送ロール１２４を含むことができる。切断用組立体１２２は、回転式ナイフロール１２６及び回転式真空アンビルロール１２８を使用し、連続する側部パネル材料１１６から個々のストリップ１１８を切断する。ナイフロール１２６上の刃により切断されたストリップ１１８は、真空によりアンビルロール１２８上に維持することができ、移送ロール１２４に移送される。
【００４３】
回転式移送ロール１２４は、複数の回転式真空パック１３０を含むことができる。真空パック１３０は、切断用組立体１２２から材料１１６のストリップ１１８を受け取り、回転して、連続して移動する身体側ライナー材料１０４にストリップを移送する。ストリップ１１８が、身体側ライナー材料１０４に対して望ましいように位置決めされると、ストリップは、パック内の真空を消滅することによりパックから取り外される。パック１３０は、切断用組立体１２２に向かって回転し続け、他のストリップを受け取ることができる。Ｖａｎ  Ｇｏｍｐｅｌ他により開示されたように、側部パネルを形成するために使用される材料１１６は、代替的には、連続する形態で供給され、加圧した流体噴射又は回転ダイカッターが、材料を切断するために使用することができ、下着の脚部開口５２を形成する。更に代替的には、訓練用パンツ２０の側部パネル３４、１３４は、身体側ライナー４２、外カバー４０及び／又はパンツの他の構成部分により形成することができる。
【００４４】
外カバー４０を形成するために使用される連続して供給される材料１４０は、供給ロール１４２又は他の適当な供給源から供給することができる。外カバー材料１４０は、積層用ロール１４４を通って移動し、身体側ライナー材料１０４に結合することができる。吸収性組立部品１１４は、これにより、連続する材料１０４と１４０との間に挟まれる。側部パネル材料１１６のストリップ１１８の内側部分は、身体側ライナー材料１０４と外カバー材料１４０との間に配置することができる。側部パネル材料１１６を取り付けるための代替的形態は、Ｖａｎ  Ｇｏｍｐｅｌ他により開示されている。脚部弾性材５８又は腰部弾性材５４及び５６などの様々な部品は、身体側ライナーと外カバー材料１０４及び１４０を一体化する前に、付与装置１４６で、外カバー材料１４０に接着することができる。代替的には、脚部弾性材又は腰部弾性材は、最初に、身体側ライナー材料１０４又は別の材料に接着することができる。
【００４５】
超音波接着器などの接着装置１４８は、積層用ロール１４４から下向きに使用され、身体側ライナー材料１０４、側部パネル材料１１６、及び外カバー材料１４０を接着することができる。例えば、これらの材料は、回転式超音波ホーンとアンビルロールとの間を移動することができる。適当な回転式超音波ホーンは、Ｅｈｌｅｒｔの米国特許第５，１１０，４０３号に記載されており、引用によりここに組み入れられる。接着装置１４８は、その他によく知られているような熱接着器、圧力接着器又は接着剤接着器とすることができる。
【００４６】
連続して移動する製品組立体１１３は、次に締結具付与装置１５０に進み、ここで締結用部品８２、８４が側部パネル材料１１６のストリップ１１８に接着される。複合体上の締結用部品の位置は、組立システム１００の形態の部分において機能である。図４に示されているように、組立システム１００は、製品組立体１１３の上向き表面が、訓練用パンツ２０の外側表面になり、下向き表面が内側表面２８になるように構成される。更に、示した組立システム１００は、後衣類の後腰部領域２４に結合した前衣類の前腰部領域２２を有する、部分的に組み立てられた訓練用パンツを形成するように構成される。しかしながら、組立システム１００は、代替的には、異なる方向のあらゆる組み合わせを使用することができることが理解される。例えば、製品組立体１１３の上向き表面は、完成した衣類の内側表面２８を形成することができる。更に又は代替的には、前衣類の後腰部領域２４は、後衣類の前腰部領域２２に結合することができるか、又は衣類は、前対前／後対後の関係で配列することができる。更に代替的には、組立システム１００は、機械横方向工程として構成することができ、各々の衣類の縦方向軸４８は、組み立て工程の部分又はすべてにおいて、機械方向１０８に垂直とすることができる。
【００４７】
この実施形態においては、締結用部品８２、８４の位置は図５に最もよく示されており、締結具付与装置１５０の直ぐ後に、矢印１０８の方向の移動する製品組立体１１３の一部を示している。側部パネル材料１１６の各々の個々のストリップ１１８は、前縁部１５２、後縁部１５４、末端縁１５６及び内側縁１５８を定める。破線１５９は、製品組立体１１３がその後切断される位置を示しており、別個の部分的に組み立てられた訓練用パンツを形成する。連続して移動する製品組立体１１３の示された方向に基づいて、第一締結用部品８２は、ストリップ１１８の下側に接着し、第二締結用部品８４は、ストリップの上部に接着することができる。更に、第一締結用部品８２は、後縁部１５４に比較的近位に配置することができ、第二締結用部品８４は、前縁部１５２に比較的近位に配置することができる。第一締結用部品８２は、機械方向１０８に第二締結用部品８４から間隔を持つことができ、切断線１５９は、その間を通過する。
【００４８】
図４を再び参照すると、第二締結用部品８４を形成するために使用される第二締結具材料１６０の連続するウエブは、供給ロール１６２又は他の適当な供給源から供給することができる。第二締結具材料１６０は、切断用組立体１６４又は他の適当な装置により、個々の第二締結具８４に切断することができる。示した切断用組立体１６４は、回転式ナイフロール１６６、回転式真空アンビルロール１６７、及び回転式裏当てロール１６８を含む。連続する第二締結具材料１６０は、ナイフロール１６６上でブレードにより切断され、真空によりアンビルロール１６７上に維持されて、側部パネル材料１１６のストリップ１１８の上部表面に接着することができる。同様に、第一締結用部品８２を形成するために使用される第一締結具材料１７０の連続するウエブは、供給ロール１７２又は他の適当な供給源から供給することができる。第一締結具材料１７０は、切断用組立体１７４又は他の適当な装置により、個々の第一締結用部品に切断することができる。示した切断用組立体１７４は、回転式ナイフロール１７６、回転式真空アンビルロール１７７、及び回転式裏当てロール１７８を含む。連続する第一締結具材料１７０は、ナイフロール１７６上でブレードにより切断され、真空によりアンビルロール１７７上に維持されて、側部パネル材料１１６のストリップ１１８の下側に接着することができる。
【００４９】
締結用部品８２、８４を側部パネル材料１１６に取り付けるために、他の配列を使用することができることが考慮される。例えば、本発明の範囲から外れることなく、締結用部品８２、８４は、側部パネル材料と身体側ライナー材料１０４及び／又は外カバー材料１４０を一体化する前に、側部パネル材料１１６に付与することができ、締結用部品は、別個の側部パネル３４、１３４が使用されているか、いないかに関わらず、身体側ライナー材料１０４及び／又は外カバー材料１４０に付与することができ、身体側ライナー及び／又は外カバーなどの他の部品の部分は、１又はそれ以上の締結用部品を形成することができ、別個の側部パネル又は一体の側部パネルは、それ自体が１又はそれ以上の締結用部品を形成することができ、締結用部品８２、８４は、予め係合した複合体又は同様のものとして取り付けることができる。
【００５０】
締結用部品８２、８４が、側部パネル材料１１６のストリップ１１８上に配置された後、超音波接着器、熱接着器、圧力接着器、接着剤接着器、又は他の適当な接着装置などの接着装置１８０が、締結用部品をストリップに接着するために使用することができる。例えば、ストリップ１１８は、回転式超音波ホーンとアンビルロールとの間を移動することができ、この装置は、締結用部品８２、８４の機械横方向の位置で、工程の各々の側部に設置される。側部パネル材料１１６のストリップ１１８は、例えば、後腰部領域２４（図２及び３）に側部パネル材料の角度を持った及び／又は湾曲した部分を形成するように、トリムすることができる。この目的のために、組立システム１００は、ダイ切断ロール１８２及び裏当てロール１８４を含むことができる。示した実施形態においては、各々のストリップ１１８の一部は、後腰部領域２４において角度を持った及び／又は湾曲した部分を形成するために、後縁部１５４（図７）からトリムされる。
【００５１】
図６を参照すると、部分的に組み立てられた訓練用パンツ２０の連続する組立部品１１３は、切断ロール１８７とアンビルロール１８８との間に形成されたニップを通って給送されて、ウエブを、別個の部分的に組み立てられた訓練用パンツ２０（広くは、下着）に切断する。切断ロール１８７は、１又はそれ以上の可撓性硬化鋼鉄製ブレードを含むことができ、これにより切断ロール１８７上のブレードとアンビルロール１８８との間の挟み力により切断される。切断ロール１８７は、切断間の望ましい距離に応じて１又はそれ以上のブレードを有することができる。示された実施形態のアンビルロール１８８は、適当なものとしては真空アンビルロールであり、別個の、部分的に組み立てられた訓練用パンツは、切断後、アンビルロールの外側表面上の吸引により保持される。
【００５２】
図６は、特に、部分的に組み立てられた吸収性下着を、折り曲げられて、図１の訓練用パンツ２０の形態のように、下着が完全に組み立てられて着用可能である予め締結された形態に再構成するための、全体を２００で示される締結装置の１つの適当な実施形態を示している。示された実施形態の真空アンビルロール１８８は、適当なものとしては、切断後に、締結されず、折り曲げられていない状態で、個々の部分的に組み立てられた訓練用パンツを直接装置に移送するための締結装置２００に近接して配置される。しかしながら、アンビルロール１８８は、真空アンビルロールである必要はなく、締結装置２００から離れて配置することができ、別個の訓練用パンツ２０は、本発明の範囲から外れることなく、コンベア又は他の適当な移送装置により締結装置に供給されることが理解される。広くは、締結装置２００は、部分的に組み立てられた吸収性衣類の供給源から、別個の部分的に組み立てられた吸収性下着（例えば、組み立てられてはいるが、締結部品は互いが締結されておらず、衣類は折り曲げられていない）を受け取る。部分的に組み立てられた吸収性下着の供給源は、図４及び６に前述して、示された組立システム１００及び切断ロール１８７、アンビルロール１８８、又は別の適当な組立システム及び移送装置を含むことができる。
【００５３】
更に、示された実施形態においては、別個の訓練用パンツ２０は、締結装置２００に縦方向（例えば、パンツの縦方向軸４８に平行）に、特に、外カバー４０の後縁部３９を先にして、締結装置に対して下向きに供給される。しかしながら、別個のパンツ２０は、本発明の範囲から外れることなく、締結装置２００に前縁部３８を先にして、縦方向に供給することができるか、又は締結装置２００に横方向に（例えば、側部縁３６を先に）供給することができるか、又は全体的に積み重ね状態で締結装置に供給することができ、下着全体が、直ぐに締結装置上に重ねることができることが理解される。
【００５４】
１つの特定の適当な実施形態においては、別個のパンツ２０は、締結装置から外側になどの同じ方向に面している後及び前側部パネル１３４、３４の前及び後締結用部分（例えば、締結用部品８２、８４）を、締結装置２００に供給することができる。例えば、図１５に示されているように、パンツ２０は、横方向内側に折り曲げられたパンツ２０の前側部パネル３４で形成することができ、締結用部品８４と締結用部品８２は、同じ方向に向く。その結果、この形態で部分的に組み立てられたパンツ２０を締結装置２００により受け取ると、締結用部品８２、８４の両方（すなわち広くは、前及び後腰部領域２２、２４での締結部分）は、各々が締結装置と反対側の外側に向く。締結用部品８４は、側部パネル３４の両側の表面に設置することができ、締結部分（例えば、締結用部品８２、８４）は、側部パネルを横方向に折り曲げることなく、同じ方向に向くことが理解される。
【００５５】
前側部パネル３４を横方向に折り曲げることは、適当なものとしては、部分的に組み立てられたパンツ２０の組立体１１３が、切断ロール１８７により個々のパンツに切断される前に実施することができるか、又は組立体を個々のパンツに切断した後ではあるが、個々のパンツが締結装置２００により受け取られる前に実施することができる。しかしながら、本発明の範囲から外れることなく、パンツ２０の前腰部領域２２での締結部分（例えば、締結用部品８４）は、個々のパンツが締結装置に供給された後（すなわち、締結装置により運ばれる間）、締結装置２００により横方向内側に折り曲げることができることが理解される。
【００５６】
示された実施形態の締結装置２００は、ドラム（広くは、移動装置）２０２を含み、１又はそれ以上の別個の、部分的に組み立てられた訓練用パンツ２０が、パンツを予め締結する間に運ばれる。ドラム２００は、適当なフレーム構造２０４及びパネル構造２０５で構成され、ドラムの軸上を回転するために、適当な駆動モーター（図示されず）に作動的に結合され、図６に矢印で示されているような方向に、ドラム（広くは、移動装置）が移動する移動方向を定める。全体を２０６で示されている複数の縦方向折り曲げ装置は、移動方向にドラム２０２（例えば、図６のドラム上には１０個のこのような縦方向折り曲げ装置が示されている）により運ばれる。折り曲げ装置２０６の数は、ドラムの大きさ、折り曲げて予め締結される下着の大きさ、及び一部に締結装置２００がある製造ラインの望ましい速度に少なくとも部分的に応じて変化することができる。ここで更に詳細に述べられるように、各々の折り曲げ装置２０６は、部分的に組み立てられた訓練用パンツ２０を受け取り、縦方向折り曲げ装置上に訓練用パンツを保持するように構成され、ドラム、縦方向折り曲げ装置及び訓練用パンツは、共に移動方向に移動する。縦方向折り曲げ装置２０６は、例えば、訓練用パンツの前及び後腰部領域２２、２４を互いが対向する関係に、訓練用パンツ２０を作動的に折り曲げ、折り曲げ装置が移動方向に移動する時に、パンツの締結部分（例えば、締結用部品８２、８４）の間の締結係合を促進する。
【００５７】
示された実施形態の各々の縦方向折り曲げ装置２０６は、適当なものとしては、折り曲げ装置の開形態（例えば、図６に角度位置Ａ、Ｇ、Ｈ、Ｉ及びＪで示されているような）と閉形態（例えば、図６の角度位置Ｄに示されているような）との間でドラム２０２（すなわち、移動装置）に対して移動可能である１対の折り曲げ用プレート２０８、２１０を含み、開形態においては、該プレートは、互いがほぼ同じ平面に置かれて、ドラムに対してほぼ接する状態に向けられ、閉形態においては、該プレートは、互いが対向する関係で、ドラムに対してほぼ半径状に向けられる。折り曲げ装置２０６、より特定的には折り曲げ用プレート２０８、２１０に関してここで用いられる縦方向という用語は、折り曲げ用プレートの内側端部２１２、２１４（図１４に最もよく示されている）から同じそれぞれの折り曲げ用プレートの反対側の、すなわち外側端部２１６、２１８に延びる方向を意味する。例えば、縦方向折り曲げ装置２０６（図１０）の開形態においては、各々の折り曲げ用プレート２０８、２１０の縦方向は、ドラム２０２に接しており、折り曲げ装置（図６及び１８）の閉位置においては、各々の折り曲げ用プレートの縦方向は、ドラムの半径にほぼ平行である。
【００５８】
折り曲げ装置２０６に関してここで使用される横方向及び横向きという用語は、ドラムの回転軸に平行なような、プレート２０８、２１０の縦方向及びドラム２０２の半径の両方と直交する方向を意味する。折り曲げ用プレート２０８、２１０は、適当なものとしては、プレートの開形態においてはドラム２０２の周囲に近接して配置され、折り曲げ装置２０６の閉形態においては、ドラム周囲から外向きに離れて折り曲げられる。図１４に最もよく示されているように、折り曲げ用プレート２０８、２１０の内側端部２１２、２１４は、適当なものとしては、互いが間隔を持って位置する。
【００５９】
１つの折り曲げ用プレート２０８（広くは、第一折り曲げ用プレート及びここでは前折り曲げ用プレートと言われる）は、少なくともパンツ２０の前腰部領域２２に対して吸引し、そこに保持するように形成され、もう一方の折り曲げ用プレート２１０（広くは、第二折り曲げ用プレート及びここでは後折り曲げ用プレートと言われる）は、少なくともパンツの後腰部領域２４に対して吸引し、そこに保持するように形成される。図６で示した実施形態においては、各々の折り曲げ装置２０６が移動方向（例えば、ドラム２０２が回転する方向）に移動するように、後折り曲げ用プレート２１０は、前折り曲げ用プレート２０８を導く。しかしながら、前折り曲げ用プレート２０８は、本発明の範囲から外れることなく、ドラム２０２の移動方向に、後折り曲げ用プレート２１０を導くことができることが理解される。
【００６０】
図７及び７Ａを特に参照すると、ドラム２０２の内部は、複数の真空ライン２２０を収容し、様々な組の真空ラインは、各々の折り曲げ装置２０６に対応しており、ここで後に述べる方法で、折り曲げ装置が取り付けられているドラムのそれぞれのパネル２０５の開口（図示されず）まで、一端部で延びる。真空ライン２２０の反対側の端部は、適当な真空シュー（図示されず）で流体連通され、これは、真空シューと真空ラインを介して様々な折り曲げ装置２０６に真空を引き込むように作動可能である適当な真空源（図示されず）と流体連通する。真空シューは、締結用装置２００などの装置の多数の部品に、真空圧を分配するのを制御するためによく知られており、したがって真空シューは、本発明を説明するために必要な範囲を除いては、ここに述べられない。
【００６１】
ここでの目的のために、真空シューは、全体的に円形で、その中に多数のリング状配列の通気孔を有し、ドラムの回転軸で真空ラインがドラムと回転する時に、そこを通って様々な真空ライン２２０に真空圧を付与する。幾つかの通気孔は、真空シューのある種の弧状セグメントに沿って閉じられ、特定の折り曲げ装置のための真空ライン２２０が閉じた通気孔を通って回転する場合に、これらの真空ラインへの真空圧は遮断される。駆動モーター（図示されず）及び１又はそれ以上のベルト（図示されず）などの適当な駆動システム（図示されず）は、ドラム２０２のフレーム構造２０４に駆動関係に結合された中央シャフト２２２（図７）の回転を駆動する。リングの周囲に外歯を有する固定リングギア（図示されず）は、ドラムに対して回転しないように固定される。
【００６２】
図８及び９は、ドラムが移動方向に回転する時に、ドラム２０２上で１つの別個のパンツ２０を折り曲げて、締結するための、１つの折り曲げ装置２０６及び関連する部品を示しており、ドラム２０２上に取り付けられた他の折り曲げ装置及び関連する部品が、図８及び９に示されて、ここに更に述べられている折り曲げ装置及び関連する部品と実質的には同じ方法で形成され、作動することが理解される。取り付け用プレート２５４は、適当なものとしては、ドラム２０２に固定されており、取り付け用プレートに形成された開口（図示されず）は、適当なコネクター２２４（図８及び９）、ドラムパネル２０５（図７）内の開口（図示されず）、及びドラム２０２内に収容された真空ライン２２０（図７Ａ）を介して、折り曲げ装置２０６と締結装置２００の真空源との間に流体連通を可能にする。シール用ガスケット（図示されず）が、取り付け用プレート２５４とドラム２０２との間に形成されて、その間の真空流通路をシールすることができると考えられる。
【００６３】
参照の目的のために、取り付け用プレート２５４の長さは、ドラム２０２上の横方向（ドラムが回転する、すなわちドラムの回転軸に平行である横方向）に延びるように向けられる。更に図８及び９を参照すると、１対のシャフト取付台２５６が、取り付け用プレート２５４に固定されて、そこから外向きに延びる。各々のシャフト取付台に１対の穴が形成され、シャフト取付台の間に延びる１対のシャフト（前折り曲げ用プレート２０８が取り付けられている前シャフト２５８及び後折り曲げ用プレート２１０が取り付けられている後シャフト２６０としてここには設計されている）を回転しながら支持するために、そこに設置されたベアリングを有する。
【００６４】
後シャフト２６０は、適当なカムボックス２６２（図７）に駆動関係で結合するために、１つのシャフト取付台２５６の外向きに延びる。カムボックス２６２は、駆動シャフトを有するように形成され、その上に遊星歯車（図示されず）が締結装置２００の大きい固定リングギアと噛み合うように取り付けられ、リングギアに対して回転軸でドラム２０２が回転する時に、カムボックス２６２の遊星歯車は、固定リングギアを周回運動させて、カムボックス駆動シャフト２６４を回転する。適当な駆動部材及びベルトを含む従来のカムボックス駆動システム２６７は、図６に示されたように、およそ９０度の角度にわたる全体的な揺動回転において、折り曲げ装置２０６の後シャフト２６０の駆動移動に、駆動シャフト２６４の回転を伝達する。すなわち、リング歯車に対してドラム２０２が３６０度一回転すると、折り曲げ装置２０６の後シャフト２６０は、折り曲げ装置の開形態に対応する最初の角度位置から、折り曲げ装置の閉形態に対応する９０度の角度位置まで、次に最初の角度位置に戻るまで回転する。
【００６５】
適当な噛み合い歯車２６８は、逆回転関係で後シャフト２６０を前シャフト２５８に駆動関係に結合し、一方向における後シャフトの回転は、逆方向に前シャフトの回転を駆動する。後シャフト２６０及び前シャフト２５８は、本発明の範囲から外れることなく、９０度より小さいか、又は９０度より大きい回転角度で回転することができることが理解される。釣合いおもり２６９が、図７に示されているように、前シャフト２５８及び後シャフト２６０の各々の一端部上に取り付けられる。
【００６６】
図９及び図１１を特に参照すると、前折り曲げ用プレート２０８は、適当なものとしては、一体的回転のために前シャフト２５８上に固定して取り付けられる後パネル２７０及び後パネルに固定される多孔性カバーパネル２７２を含む。後パネル２７０は、適当なものとしては、カバーパネル２７２と共に、前折り曲げ用プレートの内部室を形成するように構成される。付加的支持部材２７４が、互いが間隔を持つ関係で更にカバーパネル２７２の横方向側縁を支持して、前シャフト２５８上に固定して取り付けられる。前折り曲げ用プレート２０８のためのカバーパネル２７２は、折り曲げ用プレートが、パンツ２０の前締結部分（例えば、示した実施形態において折り曲げられた締結用部品８４）まで横方向に延び、更により適当なものとしては前締結部分を越えて横方向外向きに延びる幅（すなわち、横方向寸法）を有する。
【００６７】
後パネル２７０の真空入口（図示されず）は、適当なコネクター（図示されず）、コネクターと真空入口との間の真空ホース（図示されず）、取り付け用プレート上の真空コネクター２２４、ドラム内の真空ライン２２０、及び真空シューを介する真空源で、前折り曲げ用プレート２０８の内部室に流体連通をもたらす。したがって、前折り曲げ用プレート２０８は、真空モードにおいて作動可能であり、真空は、多孔性カバーパネル２７２上に引き込まれ、カバーパネルの表面に対して、パンツ２０の前腰部領域２２を吸引して保持する。付加的コネクター２８０及び真空ホース（図示されず）が、後パネル２７０の横方向外向きに、カバーパネル２７２の後側部に結合されて、前折り曲げ用プレート２０８の真空モードにおいて、カバーパネルの外側側縁部上に真空を引き込み、前折り曲げ用プレートのカバーパネル上に、パンツ２０の前締結用部分（例えば、示した実施形態において、折り曲げられた締結用部品８４）を吸引して保持する。
【００６８】
図８及び図１２を参照すると、後折り曲げ用プレート２１０は、適当なものとしては、一体的回転のために後シャフト２６０上に固定して取り付けられる後パネル２８２、及び該後パネルに固定される多孔性カバーパネル２８４を含む。後パネル２８２は、適当なものとしては、カバーパネル２８４と共に、前折り曲げ用プレートの内部室を形成するように構成される。後折り曲げ用プレート２１０のためのカバーパネル２８４は、適当なものとしては、前折り曲げ用プレート２０８のカバーパネル２７２より小さい幅（例えば、横方向寸法において）を有する。例えば、後折り曲げ用プレート２１０のカバーパネル２８４は、パンツ２０の後腰部領域２４で、カバーパネルが側部パネル１３４の横方向内側に、又は側部パネルに近接して延びるような幅を有し、更に他の実施形態においては、パンツ２０の後締結部分（例えば、示した実施形態においては、締結用部品８２）の横方向内側に終端位置を有する限り、各々の側部パネル１３４の一部の横方向外向きに延びることができる。
【００６９】
後パネル２８２の真空入口（図示されず）は、前述した適当なコネクター２８６、真空ホース（図示されず）、取り付け用プレート２５４上のコネクター２２４、ドラム２０２内の真空ライン２２０、及び真空シューを介する締結装置２００の真空源で、後折り曲げ用プレート２１０の内部室に流体連通をもたらす。したがって、後折り曲げ用プレート２１０は、真空モードにおいて作動可能であり、真空は、多孔性カバーパネル２８４上に引き込まれ、カバーパネルの表面に対して、パンツ２０の後腰部領域２４を吸引して保持する。
【００７０】
パンツ２０の後腰部領域２４の後締結部分（例えば、締結用部品８２）と、パンツの前腰部領域２２の前締結部分（例えば、折り曲げられた締結用部品８４）との正確な配列を促進するために、全体を３０２で示される１対の横方向保持プレート（広くは、横方向保持部材）が、後折り曲げ用プレート２１０の両側の側部にほぼ横方向に近接し、かつ後折り曲げ用プレートの両側の側部上に形成され、後折り曲げ用プレートに対して横方向に移動可能である。示された実施形態においては、横方向保持プレート３０２は、適当なものとしては、折り曲げ装置２０６の開形態と閉形態との間で、後折り曲げ用プレートと一体的移動のために、後ろ折り曲げ用プレート２１０に結合される。より特定的には、１対の横方向に間隔を有する支持アーム３０４が、一体的回転及び後折り曲げ用プレート全体に延びる１対の横方向の延長クロスバー３０６を支持するために、後シャフト２６０に取り付けられる。横方向保持プレート３０２は、クロスバー３０６上に各々が摺動可能に取り付けられて、折り曲げ装置２０６の開形態と閉形態との間で、後折り曲げ用プレートと一体に移動する間、後折り曲げ用プレート２１０に対して（同様に、前折り曲げ用プレート２０８に対して）保持プレートの横方向摺動を可能とさせる。
【００７１】
１つの特定の適当な実施形態においては、横方向保持プレート３０２は、後折り曲げ用プレート２１０と作動的に結合され、保持プレートは、折り曲げ装置２０６の開形態と閉形態との間で後折り曲げ用プレートに対して横方向に移動するように、後折り曲げ用プレートの移動に対応する。例えば、示された実施形態においては、縦方向レール３０８（図１２）が、後折り曲げ用プレート２１０の後パネル２８２上に取り付けられる。レール上の縦方向摺動移動のために、適当なスライド３１０がレール３０８上に取り付けられる。１対の横方向リンク３１２が、一端部で、スライド３１０にピボット運動可能に結合され、反対側の端部で、それぞれの横方向保持プレート３０２の１つにピボット運動可能に結合される。したがって、レール３０８に縦方向に沿ったスライド３１０の移動は、横方向リンク３１２に、後折り曲げ用プレート２１０に対して、内向き又は外向きに、横方向保持プレート３０２を引っ張るか又は押すようにさせる。
【００７２】
この動きを後ろ折り曲げ用プレーと２１０の折り曲げ移動に連結するために、別個の縦方向延長リンク３１４が、スライド３１０の一端部でピボット運動可能に結合され、もう一方の端部で取り付け用プレート２５４に固定される固定直立材３１６にピボット運動可能に結合される。縦方向リンク３１４の長さは、折り曲げ装置２０６の開形態において、スライド３１０が、後折り曲げ用プレート２１０の外側端部２１８にほぼ近接するような長さとする。後シャフト２６０及び後折り曲げ用プレート２１０が、折り曲げ装置２０６の閉形態に向かって回転すると、スライドはリンク３１４により引っ張られて、後折り曲げ用プレート２１０の内側端部２１２に向かって、レール３０８に沿って滑って動く。したがって、スライド３１０がレール３０８に沿って滑って動くと、横方向保持プレート３０２は、後折り曲げ用プレート２１０に対して、横方向リンク３１２により横方向内側に引っ張られる。同様の方法において、折り曲げ装置２０６の開形態へ、後ろへ向かう後折り曲げ用プレート２１０の回転は、横方向リンク３１２を、後折り曲げ用プレートに対して、横方向外向きに横方向保持プレート３０２を押すことを可能とする。
【００７３】
図８、１２及び１４に示されているように、各々の横方向保持プレート３０２は、後パネル３１８と対応するカバーパネル３０２とを含み、各々のそれぞれの保持プレートの内部室を共に定める。横方向保持プレート３０２の内部室は、真空モードにおいて保持プレートの作動のために前述した適当なコネクター３２２、真空ホース（図示されず）、取り付け用プレート２５４上の真空コネクター２２４、ドラム２０２内の真空ライン２２０、及び真空シューを介して、真空源と流体連通するものであり、パンツの後締結部分（例えば、示した実施形態においては、締結用部品８２）は、保持プレートと横方向移動するために、保持プレート上に吸引されて、保持される。
【００７４】
示した実施形態においては、横方向保持プレート３０２のカバーパネル３２０は、後折り曲げ用プレート２１０のカバーパネル２８４とほぼ平坦となるように、全体的に平坦である。しかしながら、保持プレート３０２のカバーパネル３２０は、後折り曲げ用プレート２０１のカバーパネル２８４と平坦である必要はないことが理解される。例えば、保持プレート３０２のカバーパネル３２０は、折り曲げ装置２０６の閉形態において、後折り曲げ用プレート２１０より更に内側に前折り曲げ用プレート２０８に向かって延びるように形成することができ、前及び後締結部分（例えば、示した実施形態においては、締結用部品８４、８２）の係合を促進する。
【００７５】
保持プレート３０２のカバーパネル３２０は、折り曲げ装置２０６の閉形態において、後折り曲げ用プレート２１０より前折り曲げ用プレート２０８に近くに延びるように、平坦である必要はないことが理解される。保持プレート３０２の横方向移動は、後ろ折り曲げ用プレートの折り曲げ移動に連結する必要はないことが更に理解される。更に、後折り曲げ用プレート２１０に対する保持プレートの横方向移動は、本発明の範囲から外れることなく、ここに示されて、述べられているようなもの以外に、適当な構造から達成することができる。
【００７６】
示された実施形態においては、前及び後折り曲げ用プレート２０８、２１０は、折り曲げる間に、パンツ２０の前及び後腰部領域２２、２４を保持するために真空を使用するが、本発明の範囲から外れることなく、パンツの前及び後腰部領域は、真空ではなく、摩擦、接着剤、クリップ又は他の適当な手段などによって、前及び後折り曲げ用プレートの１つ又はこれらの両方に保持することができることが理解される。横方向保持部材３０２は、真空以外によって、締結部分（例えば、締結用部品８２）を保持するように形成することができ、更に本発明の範囲内であることが更に理解される。
【００７７】
折り曲げ装置２０６によりパンツ２０を折り曲げる時、パンツの中央すなわち股部領域２６の部分（例えば、脚部及びフラップ弾性材による）は、折り曲げ用プレート２０８、２１０の間を滑って動こうとする傾向があり、これは、プレート及び／又はパンツの折り曲げに、負の影響をもたらすこととなる。図９、１３及び１４を特に参照すると、全体を３５２で示されている保持装置は、前及び後折り曲げ用プレート２０８、２１０の内側端部２１２、２１４の中間に配置され、図１９に示されているように少なくとも折り曲げ装置の閉形態においては、更により適当なものとしては折り曲げ用プレートが、折り曲げ装置２０６の開形態から閉形態に移動する時に、折り曲げ用プレートの内側端部の外向きに、折り曲げ用プレートの内側端部と縦方向に間隔を有するように、パンツ２０の中央すなわち股部領域２６を位置決めする。すなわち、保持装置３５２は、適当なものとしては、折り曲げ装置２０６によってパンツを折り曲げる間、パンツ２０の中央すなわち股部領域２６を保持し、パンツを折り曲げる間、パンツの股部領域が、折り曲げ用プレート２０８、２１０の間で束状に凝集したり、或いは上向きに動くことを妨げる。
【００７８】
示した保持装置３５２は、適当なものとしては、折り曲げ用プレート２０８、２１０の内側端部２１２、２１４の間を横方向に延びる細長い入口３５８を有する真空ダクト３５６を含む吸引装置を含む。真空ダクト３５６は、真空モードにおいて吸引装置の作動のために、適当なコネクター３６０（図１４）、真空ホース（図示されず）、取り付け用プレート２５４上の真空コネクター２２４、ドラム２０２内の真空ライン２２０、及び真空シューなどを介して真空源と流体連通し、吸引装置は、吸引装置３５２の入口３５８に向かって、パンツ２０の股部すなわち中央領域２６を吸引する。保持装置３５２は、吸引装置以外に、折り曲げ用プレート２０８の内側端部２１２、２１４の間の、パンツ２０の中央領域２６の内側表面に向かって加圧した空気を送る送風装置、又は折り曲げ用プレートによるパンツの折り曲げの間に、パンツの中央領域２６に物理的に接触し、握り、又はその他の方法で保持するような、あらゆる適当な機械的保持装置を含むことができる。
【００７９】
１つの特定の適当な実施形態においては、保持装置３５２（例えば、示した実施形態においては吸引装置）は、ドラム２０２に対して半径方向、すなわち内向き及び外向き方向などに、前及び後折り曲げ用プレート２０８、２１０に対して移動可能である。より適当なものとしては、保持装置３５２は、前及び後折り曲げ用プレート２０８、２１０の１つ（例えば、示した実施形態においては、前折り曲げ用プレート）に作動可能に結合され、折り曲げ装置２０６の開形態と閉形態との間の折り曲げ用プレートの移動は、折り曲げ用プレートに対して保持装置を移動するように作動する。（すなわち、保持装置の移動は、折り曲げ用プレートの移動に対応するものである。）
【００８０】
図１２及び１４に示されているように、直立材３６４が、前シャフト２５８にほぼ近接して、取り付け用プレート２５４に固定して取り付けられ、レールパネル３６６は、保持装置３５２に面するように、直立材と一体に形成される。１対のレール３６８は、互いが横方向に間隔を持つ関係で、レールパネル３６６上に縦方向に取り付けられ、適当なスライド３７０は、レール上でそれぞれが滑って動く。取り付け用フレーム３７２は、レール３６８と横方向に間隔を持ち、スライドとの一体的移動のために、スライド３７０に結合される。保持装置３５２、例えば、吸引装置、及びより特定的なものとしては、真空ダクト３５６は、レールパネル３６６に対してスライド３７０と摺動移動するために、取り付け用フレーム３７２に固定される。
【００８１】
保持装置３５２の移動を前折り曲げ用プレート２０８の折り曲げ移動と連結するために、１対のカラー３７４が、シャフトとの一体的回転のために、前シャフト２５８上に取り付けられる。レバーアーム３７６が、各々のカラー３７４と一体に形成され、自由端で、それぞれのリンク３７８にピボット運動可能に結合される。リンク３７８は、反対側の端部で、保持装置３５２が固定されている取り付け用フレーム３７２に各々がピボット運動可能に結合される。示した実施形態においては、リンク３７８は、折り曲げ装置２０６の開形態において、スライド３７０が前シャフト２５８に近位であるような大きさとする。前シャフト２５８が回転し、その結果折り曲げ装置２０６の閉形態に向かって、前折り曲げ用プレート２０８を折り曲げると、取り付け用フレーム３７２及びスライド３７０は、レール３６８に沿って、下向きにリンク３７８により引っ張られて、折り曲げ用プレート２０８、２１０及びドラム２０２に対して、保持装置３５２を下向き（例えば、半径状内向きに）に一体的移動する。
【００８２】
保持装置３５２は、適当なものとしては、折り曲げ用プレートの１つに作動的に結合すること以外により、折り曲げ用プレート２０８、２１０に対して移動可能とすることができることが理解される。本発明の範囲から外れることなく、折り曲げ装置２０６の開形態と閉形態との間で折り曲げ用プレートが移動する場合、保持装置３５２は、折り曲げ用プレート２０８、２１０に対して固定したままとすることができることが理解される。
【００８３】
予め締結した吸収性下着を機械的に形成するための方法の一実施形態による作動においては、別個の部分的に組み立てられた下着（例えば、訓練用パンツ２０）は、部分的に組み立てられた下着の供給源から（例えば、図４及び６の示された実施形態における組み立てシステム１００、切断ロール１８７及び真空アンビルロール１８８から）全体的に折り曲げられていない（縦方向に）、かつ締結されていない締結装置２００まで、順次的に供給される。前腰部領域２２、及びより特定的には、示した実施形態における前側部パネル３４の締結部分（例えば、締結用部品８４）は、締結装置２００までパンツ２０を供給する前に、横方向に折り曲げられ、前側部パネルの締結部分は、締結装置から外側に向く。締結装置２００のドラム２０２は、その軸上で回転するように連続して駆動され、ドラム上の多数の縦方向折り曲げ装置２０６は、真空アンビルロール１８８により順次通過して、折り曲げ装置上に訓練用パンツ２０を受け取る。図６において角度位置Ａとして示されているドラム２０２の角度位置で、１つの縦方向折り曲げ装置２０６の縦方向折り曲げ用プレート２０８、２１０は、その開形態における折り曲げ装置２０６と、すなわち折り曲げ用プレートが広げられて、互いがほぼ平坦な関係で、ドラム２０２に接した状態で、真空アンビルロール１８８を通過する。
【００８４】
別個の、部分的に組み立てられた対の訓練用パンツ２０は、それぞれの真空モードで作動する折り曲げ用プレート及び横方向保持プレート３０２を有する縦方向折り曲げ用プレート２０８、２１０により受け取られて、折り曲げ用プレート及び保持プレート上に訓練用パンツ２０を吸引し保持する。特に図１５に示されているように、前腰部領域２２及び対応する折り曲げられた締結部分（例えば、締結用部品８４）は、前折り曲げ用プレート２０８のカバーパネル２７２上に吸引されて、保持される。訓練用パンツ２０の後腰部領域２４の少なくとも一部は、後折り曲げ用プレート２１０のカバーパネル２８４上に吸引されて、保持され、後側部パネル１３４、及びより適当なものとしては締結部分（例えば、示した実施形態において締結用部品８２）は、横方向保持用プレート３０２上に吸引されて、保持される。保持装置３５２、例えば、折り曲げ用プレート２０８、２１０の内側端部２１２、２１４の間に配置される吸引装置は、その真空モードで作動されて、ダクト３５６の入口３５８に向かって、パンツ２０の中央領域（例えば、股部領域２６）を吸引する。この段階では、パンツ２０の後側部パネル１３４と連結した締結部分は、パンツの前側部パネル３４の連結した締結部分とは、横方向整列しないものである。
【００８５】
ドラム２０２が、図６に位置Ｂとして示されている角度位置まで、移動方向に（例えば、示した実施形態においては、反時計回り方向）訓練用パンツ２０を運ぶ時、カムボックス遊星歯車２５６は、固定リングギア、遊星歯車の回転駆動位置、及びカムボックスギアが取り付けられている、対応するカムボックス駆動シャフト２６４を周回運動させる。折り曲げ装置の前及び後シャフト２５８、２６０上の歯車２６８が、前シャフトの回転と同一回転で駆動することを介して、折り曲げ装置２０６の後シャフト２６０をカムボックスにより回転させ、折り曲げ装置の閉形態に向かって、前及び後折り曲げ用プレート２０８、２１０が移動し始める。図１６は、ドラムの角度位置Ｂでの、パンツ２０の部分的に折り曲げられた状態を示している。ドラム２０２の角度位置Ｃでは、折り曲げ用プレート２０８、２１０（及び前折り曲げ用プレートに結合された横方向保持用プレート３０２）は、折り曲げ装置２０６の閉形態に向かって、更に内側に折り曲げられる。図１７は、角度位置Ｃでの、パンツ２０の更に折り曲げられた状態を示している。
【００８６】
折り曲げ装置２０６の前及び後シャフト２５８、２６０が、折り曲げ装置２０６の閉形態に向かって折り曲げ用プレート２０８、２１０を移動するように回転すると、吸引装置３５２は、前折り曲げ用プレートの移動に吸引装置を連結するカラー３７４、レバーアーム３７６、対応するリンク３７８及びスライド３７０を介して、折り曲げ用プレートの内側端部２１２、２１４に対して移動し、より特定的には、折り曲げ装置及びドラム２０２に対して半径状内側に移動する。真空モードで更に作動する吸引装置３５２は、真空ダクト３５６の入口３５８に向かってパンツ２０の中央領域２６を吸引し続け、折り曲げ用プレート２０８、２１０の内側端部２１２、２１４の外側に、パンツの中央領域を全体的に保持して、折り曲げ用プレートの間の中央領域が束状に凝集することを妨げる。同時に、図１７と図１５を比較して示されているように、横方向保持用プレート３０２は、保持用プレート３０２の横方向移動を、後折り曲げ用プレートの折り曲げ移動に作動的に連結する、縦方向リンク３１４、スライド３１０及び横方向リンク３１２により、後折り曲げ用プレート２１０に向かって横方向内側に、クロスバー３０６上を摺動可能に移動する。
【００８７】
ドラム２０２を角度位置Ｄまで更に回転させると、前折り曲げ用プレート２０８及び後折り曲げ用プレート２１０は、折り曲げ装置２０６の閉形態において、互いが対向する関係となる。したがって、訓練用パンツ２０は、パンツの前及び後腰部領域（すなわち、第一及び第二端部領域）２２、２４が、互いに対向する関係となるように折り曲げられる。横方向保持用プレート３０２は、後腰部領域２４（例えば、締結用部品８２）が、前腰部領域２２（例えば、締結用部品８４）で、締結部分と対向する関係となるように、十分に横方向内側に移動する。その結果、締結部分（例えば、締結用部品８２、８４）は図１８に示されているように、互いが締結係合をするように位置されて、折り曲げ装置２０６の閉形態において、パンツを予め締結する。図１９に示されているように、パンツ２０の中央領域２６の一部は、折り曲げ装置の閉形態において、吸引装置３５２により、折り曲げ用プレート２０８、２１０の内側端部２１２、２１４の外側に位置決めされる。
【００８８】
図６を更に参照すると、ドラム２０２が、角度位置Ｅに向かって更に回転すると、後折り曲げ用プレート２１０及び横方向保持用プレート３０２への真空圧が減少し、より適当なものとしては、真空シューによりすべてが塞がれる。カムボックス２６２は、前及び後シャフト２５８、２６０の回転で駆動し、折り曲げ装置２０６の開形態に向かって後方に、前及び後折り曲げ用プレート２０８、２１０が回転を始める。折り曲げ装置２０６が、図６の角度位置Ｅ及びＦで示されているような開形態に向かって移動する時、折り曲げられて、予め締結された訓練用パンツ２０は、前折り曲げ用プレート２０８のカバーパネル２７２上に吸引され、保持される。ドラム２０２の角度位置Ｇでは、折り曲げ装置２０６は完全に開形態の状態であり、折り曲げられて、予め締結された訓練用パンツ２０は、前折り曲げ用プレート２０８のカバーパネル２７２にほぼ平坦に置かれて、保持される。
【００８９】
ドラム２０２は、更に角度位置Ｈに回転し、折り曲げ装置２０６の開形態において、折り曲げ用プレート２５８、２６０は、図６に示された従来の真空ボックスコンベア３９０などの適当な移送装置と全体的に対向する関係である。真空ボックスコンベア３９０は、予め締結された訓練用パンツ２０を吸引して、折り曲げ装置２０６から取り外し、更なる工程のために、訓練用パンツを折り曲げ装置の下流方向に移送する。一実施形態においては、真空ボックスコンベア２９０の真空圧は、適当なものとしては、前折り曲げ用プレートから訓練用パンツを取り外すように、前折り曲げ用プレート２０８上に訓練用パンツ２０を保持する圧力より大きい。代替的には、又は付加的には、前折り曲げ用プレート２０８の内部室への真空圧は、真空シューにより減少されるか、又は塞ぐことができ、移送装置３９０への訓練用パンツの移送を促進する。
【００９０】
別の実施形態においては、移送装置３９０は、単一（例えば、真空ではない）コンベア又は他の移送装置を含むことができ、訓練用パンツ２０は、重力、又は後折り曲げ用プレートのカバーパネル２７２を通って外に加圧した気体を送り、これにより訓練用パンツを折り曲げ用プレートからコンベア上に押し出す送風モードで前折り曲げ用プレート２０８を作動することにより、又は他の適当な技術により、コンベア上に移送することができる。
【００９１】
ドラム２０２が角度位置Ｈ、Ｉ及びＪを通って、ドラムが完全に３６０度回転して、角度位置Ａに戻るまで回転すると、折り曲げ用プレート２０８、２１０は、適当なものとしては、折り曲げ装置２０６の開形態のままである。
【００９２】
パンツの後腰部領域２４で、締結部分（例えば、締結用部品８２）が、前腰部領域２２で締結部分（例えば、締結用部品８４）と整列するために、後折り曲げ用プレート２１０に対して横方向に（より特定的には、後ろ折り曲げ用プレートに近位で、横方向内側に）移動する場合、横方向保持部材は、前折り曲げ用プレートに対して前締結部分を移動するために、前折り曲げ用プレート２０８を形成することができることが理解される。例えば、パンツ２０の後締結部分は、後折り曲げ用プレート２１０に対して移動を保持し、前（横方向に折り曲げられた）締結部分は、前折り曲げ用プレートに近接する横方向保持部材上に保持され、保持部材により、前折り曲げ用プレート２０８から横方向外側に移動することができ、これによりパンツの側部パネル３４を延伸して、係合のために、パンツの前及び後締結部分を配列する。
【００９３】
本発明の要素又はそれらの好ましい実施形態を示す時に、「１つの」、「その」及び「前記」という単語は、１又はそれ以上の要素があることを意味するものである。「成る」、「含む」及び「有する」という用語は、包括的であり、挙げた要素以外に付加的要素がある可能性があることを意味する。
【００９４】
本発明の範囲から外れることなく、上記した構成において様々な変更が成される時、上記した説明に含まれる又は添付図面に示されたすべての事柄は、説明的なものであり、限定する意味ではないものとして解釈される。
【図面の簡単な説明】
【００９５】
【図１】訓練用パンツの一つの側部が締結されて、訓練用パンツの反対側の側部が締結されていない、訓練用パンツの締結システムを有する子供の訓練用パンツの形態の吸収性下着の実施形態の側面図である。
【図２】締結されておらず、折り曲げられていない平坦な状態に置かれて、着用者と反対側に面する訓練用パンツの表面を示した、図１の訓練用パンツの底面図である。
【図３】締結されておらず、折り曲げられていない平坦な状態に置かれて、着用者側に面する訓練用パンツの表面を示し、下側の特性を示すために訓練用パンツの部分が切り取られた、訓練用パンツの平面図である。
【図４】図１−３の訓練用パンツなどの吸収性下着を形成するための組立システムの概略図である。
【図５】図４の組立システムに沿った一位置で、連続して移動する下着の組立体又はウエブの一部の略図である。
【図６】最初の製造中に、折り曲げて、予め締結する吸収性下着のための締結装置の一実施形態の側面図である。
【図７】図６の締結装置を、装置の駆動システムを省略した斜視図である。
【図７Ａ】図７の７Ａ−７Ａの線の平面の断面図である。
【図８】折り曲げ装置の上部すなわち外側側部から見た、真空ホースを省略した図６の折り曲げ装置の斜視図である。
【図９】図８の折り曲げ装置の別の斜視図である。
【図１０】図８の折り曲げ装置の平面図である。
【図１１】折り曲げ装置の底部すなわち内側側部から見た、真空ホースを省略して、付加的構造を示すために部分的に破断した、図８の折り曲げ装置の斜視図である。
【図１２】図１１に類似した別の斜視図である。
【図１３】付加的構造を示すために部分的に破断した、図８の折り曲げ装置の底面図である。
【図１４】図１０の１４−１４の線の平面で見た断面図である。
【図１５】折り曲げ装置が開形態で、折り曲げ装置により折り曲げるために、その上に吸収性下着が保持された、図８の折り曲げ装置の端面図である。
【図１６】折り曲げ装置が、折り曲げ装置の閉形態に向かって更に移動した、図１５と類似した端面図である。
【図１７】折り曲げ装置が、折り曲げ装置の塀形態に向かって更に移動した、図１６と類似した端面図である。
【図１８】折り曲げ装置が閉形態で、吸収性下着が折り曲げられて、予め締結された、図１５の折り曲げ装置の拡大端面図である。
【図１９】図１４と類似しているが、折り曲げ装置が閉形態で、折り曲げ装置により、折り曲げられて、予め締結されている吸収性下着を示した断面図である。
【符号の説明】
【００９６】
２０  訓練用パンツ
２２  前腰部領域
２４  後腰部領域
２６  股部領域
３２  吸収性シャーシ
３３  複合構造体
４０  外カバー
４２  身体側ライナー
４４  吸収性組立体
４６  収容フラップ
８０  締結システム
８２  第一締結用部品
８４  第二締結用部品
１００  組立システム
２００  締結装置
２０６  折り曲げ装置
２０８  第一折り曲げ用プレート
２１０  第二折り曲げ用プレート
【図１】
2009519742.tif 000003
【図２】
2009519742.tif 000004
【図３】
2009519742.tif 000005
【図４】
2009519742.tif 000006
【図５】
2009519742.tif 000007
【図６】
2009519742.tif 000008
【図７】
2009519742.tif 000009
【図７Ａ】
2009519742.tif 000010
【図８】
2009519742.tif 000011
【図９】
2009519742.tif 000012
【図１０】
2009519742.tif 000013
【図１１】
2009519742.tif 000014
【図１２】
2009519742.tif 000015
【図１３】
2009519742.tif 000016
【図１４】
2009519742.tif 000017
【図１５】
2009519742.tif 000018
【図１６】
2009519742.tif 000019
【図１７】
2009519742.tif 000020
【図１８】
2009519742.tif 000021
【図１９】
2009519742.tif 000022
【国際調査報告】
2009519742.tif 000023
2009519742.tif 000024
2009519742.tif 000025